(57)【要約】  本発明の実施例は上りチャネルのパワー制御方法、ユーザ装置及び通信システムを提供する。パワー制御方法は、ユーザ装置が、同一サブフレーム内で少なくとも二つのセルに対して上り制御情報を含む上りチャネル信号を夫々送信する時に、少なくとも二つのセルの上りチャネルに対して優先順位の確定を行い；及び、優先順位の確定結果に基づいて少なくとも二つのセルの上りチャネルに対して、パワー割り当て又は上りチャネル選択を行うことを含む。本発明の実施例により、同一サブフレーム内で異なるサービングセル上でUCIを含む上りチャネルを同時に送信する時に送信パワーの総和がPCMAXよりも大きくなる可能性があるという問題を解決することができる。
2016530807.tif 000002
【特許請求の範囲】
【請求項１】
少なくとも二つのセルとの接続を維持するユーザ装置に用いられる上りチャネルのパワー制御方法であって、
前記ユーザ装置が、同一サブフレーム内で、前記少なくとも二つのセルに対して上り制御情報を含む上りチャネル信号をそれぞれ送信する時に、前記少なくとも二つのセルの前記上りチャネルに対して優先順位の確定を行い；及び
前記優先順位の確定結果に基づいて、前記少なくとも二つのセルの前記上りチャネルに対して、パワー割り当てを行い、又は、上りチャネル選択を行うことを含む、方法。
【請求項２】
請求項1に記載の方法であって、
前記少なくとも二つのセルの前記上りチャネルは、一つのセルに対しての物理上り制御チャネル及びもう一つのセルに対しての物理上り制御チャネルを含み、
前記少なくとも二つのセルの前記上りチャネルに対して優先順位の確定を行うことは、前記物理上り制御チャネルに含まれている上り制御情報の類型、及び／又は、前記少なくとも二つのセルの類型又は索引番号に基づいて、前記物理上り制御チャネルの優先順位を確定することを含む、方法。
【請求項３】
請求項2に記載の方法であって、
前記物理上り制御チャネルに含まれている上り制御情報の類型に基づいて、前記物理上り制御チャネルの優先順位を確定することは、
ACK／NACKを含む物理上り制御チャネルの優先順位が、周期性チャネル状態情報を含む物理上り制御チャネルの優先順位よりも高く；
スケジュール要求を含む物理上り制御チャネルの優先順位が、周期性チャネル状態情報を含む物理上り制御チャネルの優先順位よりも高く；及び、
ACK／NACKを含む物理上り制御チャネルの優先順位が、スケジュール要求を含む物理上り制御チャネルの優先順位よりも高い
という条件のうちの一つ又は組み合わせを採用する、方法。
【請求項４】
請求項3に記載の方法であって、更に、
異なる類型の周期性チャネル状態情報を含む物理上り制御チャネルに対して優先順位の確定を行うことを含む、方法。
【請求項５】
請求項4に記載の方法であって、更に、
周期性チャネル状態情報を含む物理上り制御チャネルの優先順位が同じである時に、チャネル状態情報プロセスの識別子のサイズに基づいて優先順位をさらに確定することを含む、方法。
【請求項６】
請求項2に記載の方法であって、
前記物理上り制御チャネルが２種類以上の上り制御情報を含む時に、前記方法は、更に、
前記２種類以上の上り制御情報の優先順位に基づいて、前記物理上り制御チャネルの優先順位を確定することを含む、方法。
【請求項７】
請求項2に記載の方法であって、
前記少なくとも二つのセルの類型又は索引番号に基づいて前記物理上り制御チャネルの優先順位を確定することは、
プライマリーセルに対しての物理上り制御チャネルの優先順位が、セカンダリーセルに対しての物理上り制御チャネルの優先順位よりも高く；
マクロセルに対しての物理上り制御チャネルの優先順位が、スモールセルに対しての物理上り制御チャネルの優先順位よりも高く；及び
索引番号が小さいセルに対しての物理上り制御チャネルの優先順位が、索引番号が大きいセルに対しての物理上り制御チャネルの優先順位よりも高い
という条件のうちの一つ又は組み合わせを採用する、方法。
【請求項８】
請求項2に記載の方法であって、
前記優先順位の確定結果に基づいて前記少なくとも二つのセルの前記上りチャネルに対してパワー割り当てを行うことは、
優先順位が高い一つ又は複数の物理上り制御チャネルにパワーを割り当て、残りのパワーがある場合、該残りのパワーを、優先順位が低い一つ又は複数の物理上り制御チャネルに割り当て；又は
前記優先順位の確定結果に基づいて前記物理上り制御チャネルの送信パワーに重みを付け、該重みに基づいて各物理上り制御チャネルに対してパワー割り当てを行うことを含む、方法。
【請求項９】
請求項2に記載の方法であって、
前記優先順位の確定結果に基づいて前記少なくとも二つのセルの前記上りチャネルに対して上りチャネル選択を行うことは、
優先順位が最も高い一つの物理上り制御チャネルにパワーを割り当て、他の物理上り制御チャネルを捨てることを含む、方法。
【請求項１０】
請求項1に記載の方法であって、
前記少なくとも二つのセルの前記上りチャネルは、一つのセルに対しての物理上り制御チャネル及びもう一つのセルに対しての物理上り共有チャネルを含み、
前記少なくとも二つのセルの前記上りチャネルに対して優先順位の確定を行うことは、前記上りチャネルに含まれている上り制御情報の類型、前記少なくとも二つのセルの類型又は索引番号、及び前記上りチャネルの類型のうちの一つ又は組み合わせに基づいて、前記上りチャネルの優先順位を確定することを含む、方法。
【請求項１１】
請求項10に記載の方法であって、
前記上りチャネルに含まれている上り制御情報の類型に基づいて前記上りチャネルの優先順位を確定することは、
ACK／NACKを含む上りチャネルの優先順位が、周期性チャネル状態情報を含む上りチャネルの優先順位よりも高く；
スケジュール要求を含む上りチャネルの優先順位が、周期性チャネル状態情報を含む上りチャネルの優先順位よりも高く；
ACK／NACKを含む上りチャネルの優先順位が、スケジュール要求を含む上りチャネルの優先順位よりも高く；
スケジュール要求を含む上りチャネルの優先順が、非周期性チャネル状態情報を含む上りチャネルの優先順位よりも高く；及び
非周期性チャネル状態情報を含む上りチャネルの優先順位が、周期性チャネル状態情報を含む上りチャネルの優先順位よりも高い
という条件のうちの一つ又は組み合わせを採用する、方法。
【請求項１２】
請求項11に記載の方法であって、更に、
異なる類型の周期性チャネル状態情報を含む上りチャネルに対して優先順位の確定を行い、又は、異なる類型の非周期性チャネル状態情報を含む上りチャネルに対して優先順位の確定を行うことを含む、方法。
【請求項１３】
請求項12に記載の方法であって、更に、
周期性チャネル状態情報又は非周期性チャネル状態情報を含む上りチャネルの優先順位が同じである時に、チャネル状態情報プロセスの識別子のサイズに基づいて優先順位をさらに確定することを含む、方法。
【請求項１４】
請求項10に記載の方法であって、
前記上りチャネルが２種類以上の上り制御情報を含む時に、前記方法は、更に、
前記２種類以上の上り制御情報の優先順位に基づいて、前記上りチャネルの優先順位を確定することを含む、方法。
【請求項１５】
請求項10に記載の方法であって、
前記少なくとも二つのセルの類型又は索引番号に基づいて前記上りチャネルの優先順位を確定することは、
プライマリーセルに対しての上りチャネルの優先順位が、セカンダリーセルに対しての上りチャネルの優先順位よりも高く；
マクロセルに対しての上りチャネルの優先順位が、スモールセルに対しての上りチャネルの優先順位よりも高く；及び
索引番号が小さいセルに対しての上りチャネルの優先順位が、索引番号が大きいセルに対しての上りチャネルの優先順位よりも高い
という条件のうちの一つ又は組み合わせを採用する、方法。
【請求項１６】
請求項10に記載の方法であって、
前記上りチャネルの類型に基づいて前記上りチャネルの優先順位を確定することは、物理上り制御チャネルの優先順位が、物理上り共有チャネルの優先順位よりも高いことを含む、方法。
【請求項１７】
請求項10に記載の方法であって、
前記優先順位の確定結果に基づいて前記少なくとも二つのセルの前記上りチャネルに対してパワー割り当てを行うことは、
優先順位が高い一つ又は複数の上りチャネルにパワーを割り当て、残りのパワーがある場合、該残りのパワーを、優先順位が低い一つ又は複数の上りチャネルに割り当て；又は
前記優先順位の確定結果に基づいて、前記上りチャネルの送信パワーに重みを付け、該重みに基づいて各上りチャネルに対してパワー割り当てを行うことを含む、方法。
【請求項１８】
請求項1に記載の方法であって、
前記少なくとも二つのセルの前記上りチャネルは、一つのセルに対しての物理上り共有チャネル及びもう一つのセルに対しての物理上り共有チャネルを含み、
前記少なくとも二つのセルの前記上りチャネルに対して優先順位の確定を行うことは、前記物理上り共有チャネルに含まれている上り制御情報の類型、及び／又は、前記少なくとも二つのセルの類型又は索引番号に基づいて、前記物理上り共有チャネルの優先順位を確定することを含む、方法。
【請求項１９】
請求項18に記載の方法であって、
前記物理上り共有チャネルに含まれている上り制御情報の類型に基づいて前記物理上り共有チャネルの優先順位を確定することは、
ACK／NACKを含む物理上り共有チャネルの優先順位が、周期性チャネル状態情報を含む物理上り共有チャネルの優先順位よりも高く；
ACK／NACKを含む物理上り共有チャネルの優先順位が、非周期性チャネル状態情報を含む物理上り共有チャネルの優先順位よりも高く；及び
非周期性チャネル状態情報を含む物理上り共有チャネルの優先順位が、周期性チャネル状態情報を含む物理上り共有チャネルの優先順位よりも高い
という条件のうちの一つ又は組み合わせを採用する、方法。
【請求項２０】
請求項19に記載の方法であって、更に、
異なる類型の周期性チャネル状態情報を含む物理上り共有チャネルに対して優先順位の確定を行い；又は
異なる類型の非周期性チャネル状態情報を含む物理上り共有チャネルに対して優先順位の確定を含む、方法。
【請求項２１】
請求項20に記載の方法であって、更に、
周期性チャネル状態情報又は非周期性チャネル状態情報を含む物理上り共有チャネルの優先順位が同じである時に、チャネル状態情報プロセスの識別子のサイズに基づいて優先順位をさらに確定することを含む、方法。
【請求項２２】
請求項18に記載の方法であって、
前記物理上り共有チャネルが２種類以上の上り制御情報を含む時に、前記方法は、更に、
前記２種類以上の上り制御情報の優先順位に基づいて、前記物理上り共有チャネルの優先順位を確定することを含む、方法。
【請求項２３】
請求項18に記載の方法であって、
前記少なくとも二つのセルの類型又は索引番号に基づいて前記物理上り共有チャネルの優先順位を確定することは、
プライマリーセルに対しての物理上り共有チャネルの優先順位が、セカンダリーセルに対しての物理上り共有チャネルの優先順位よりも高く；
マクロセルに対しての物理上り共有チャネルの優先順位が、スモールセルに対しての物理上り共有チャネルの優先順位よりも高く；及び
索引番号が小さいセルに対しての物理上り共有チャネルの優先順が、索引番号が大きいセルに対しての物理上り共有チャネルの優先順位よりも高い
という複数条件のうちの一つ又は組み合わせを採用する、方法。
【請求項２４】
請求項18に記載の方法であって、
前記優先順位の確定結果に基づいて前記少なくとも二つのセルの前記上りチャネルに対してパワー割り当てを行うことは、
優先順位が高い一つ又は複数の物理上り共有チャネルにパワーを割り当て、残りのパワーがある場合、該残りのパワーを、優先順位が低い一つ又は複数の物理上り共有チャネルに割り当て；又は
前記優先順位の確定結果に基づいて前記物理上り共有チャネルの送信パワーに重みを付け、該重みに基づいて各物理上り共有チャネルに対してパワー割り当てを行うことを含む、方法。
【請求項２５】
少なくとも二つのセルとの接続を維持するユーザ装置であって、
同一サブフレーム内で前記少なくとも二つのセルに対して上り制御情報を含む上りチャネル信号をそれぞれ送信する時に、前記少なくとも二つのセルの前記上りチャネルに対して優先順位の確定を行うための優先順位確定ユニット；及び
前記優先順位の確定結果に基づいて、前記少なくとも二つのセルの前記上りチャネルに対して、パワー割り当てを行い、又は、上りチャネル選択を行うためのパワー制御ユニットを含む、ユーザ装置。
【請求項２６】
請求項25に記載のユーザ装置であって、
前記少なくとも二つのセルの前記上りチャネルは、一つのセルに対しての物理上り制御チャネル及びもう一つのセルに対しての物理上り制御チャネルを含み、
前記優先順位確定ユニットは、前記物理上り制御チャネルに含まれている上り制御情報の類型、及び／又は、前記少なくとも二つのセルの類型又は索引番号に基づいて、前記物理上り制御チャネルの優先順位を確定するように構成される、ユーザ装置。
【請求項２７】
請求項26に記載のユーザ装置であって、
前記パワー制御ユニットは、
優先順位が高い一つ又は複数の物理上り制御チャネルにパワーを割り当て、残りのパワーがある場合、該残りのパワーを、優先順位が低い一つ又は複数の物理上り制御チャネルに割り当て；
前記優先順位の確定結果に基づいて前記物理上り制御チャネルの送信パワーに重みを付け、該重みに基づいて各物理上り制御チャネルに対してパワー割り当てを行い；又は
優先順位が最も高い一つの物理上り制御チャネルにパワーを割り当て、他の物理上り制御チャネルを捨てるように構成される、ユーザ装置。
【請求項２８】
請求項25に記載のユーザ装置であって、
前記少なくとも二つのセルの前記上りチャネルは、一つのセルに対しての物理上り制御チャネル及びもう一つのセルに対しての物理上り共有チャネルを含み、
前記優先順位確定ユニットは、前記上りチャネルに含まれている上り制御情報の類型、前記少なくとも二つのセルの類型又は索引番号、及び前記上りチャネルの類型のうちの一つ又は組み合わせに基づいて、前記上りチャネルの優先順位を確定するように構成される、ユーザ装置。
【請求項２９】
請求項28に記載のユーザ装置であって、
前記パワー制御ユニットは、
優先順位が高い一つ又は複数の上りチャネルにパワーを割り当て、残りのパワーがある場合、該残りのパワーを、優先順位が低い一つ又は複数の上りチャネルに割り当て；又は
前記優先順位の確定結果に基づいて前記上りチャネルの送信パワーに重みを付け、該重みに基づいて各上りチャネルに対してパワー割り当てを行うように構成される、ユーザ装置。
【請求項３０】
請求項25に記載のユーザ装置であって、
前記少なくとも二つのセルの前記上りチャネルは、一つのセルに対しての物理上り共有チャネル及びもう一つのセルに対しての物理上り共有チャネルを含み、
前記優先順位確定ユニットは、前記物理上り共有チャネルに含まれている上り制御情報の類型、及び／又は、前記少なくとも二つのセルの類型又は索引番号に基づいて、前記物理上り共有チャネルの優先順位を確定するように構成される、ユーザ装置。
【請求項３１】
請求項30に記載のユーザ装置であって、
前記パワー制御ユニットは、
優先順位が高い一つ又は複数の物理上り共有チャネルにパワーを割り当て、残りのパワーがある場合、該残りのパワーを、優先順位が低い一つ又は複数の物理上り共有チャネルに割り当て；又は
前記優先順位の確定結果に基づいて前記物理上り共有チャネルの送信パワーに重みを付け、該重みに基づいて各物理上り共有チャネルに対してパワー割り当てを行うように構成される、ユーザ装置。
【請求項３２】
通信システムであって、
少なくとも二つのセルとの接続を維持するユーザ装置を含み、
前記ユーザ装置は、
同一サブフレーム内で、前記少なくとも二つのセルに対して上り制御情報を含む上りチャネル信号をそれぞれ送信する時に、前記少なくとも二つのセルの前記上りチャネルに対して優先順位の確定を行い；及び、前記優先順位の確定結果に基づいて、前記少なくとも二つのセルの前記上りチャネルに対して、パワー割り当てを行い、又は、上りチャネル選択を行うように構成される、通信システム。
【請求項３３】
コンピュータ可読プログラムであって、
ユーザ装置中で前記プログラムを実行する時に、前記プログラムは、コンピュータに、前記ユーザ装置中で請求項1〜24の任意の１項に記載の上りチャネルのパワー制御方法を実行させるための、プログラム。
【請求項３４】
コンピュータ可読プログラムを記憶した記憶媒体であって、
前記コンピュータ可読プログラムは、コンピュータに、ユーザ装置中で請求項1〜24の任意の１項に記載の上りチャネルのパワー制御方法を実行させる、記憶媒体。
【発明の詳細な説明】
【技術分野】
【０００１】
本発明は、通信分野に関し、特に、ユーザ装置のパワー制限下での上りチャネルのパワー制御方法、ユーザ装置及び通信システムに関する。
【背景技術】
【０００２】
LTE（Long  Term  Evolution）システムでは、ユーザ装置がPUSCH（Physical  Uplink  Share  Channel）、PUCCH（Physical  Uplink  Control  Channel）、SRS（Sounding  Reference  Signal）及びPRACH（Physical  Random  Access  Channel）を送信する時のパワー制御方法が定義されている。ユーザが複数のキャリア（carrier）を構成した時に、各サービングセル上で独立した上り送信信号のパワー制御を行う。
【０００３】
そのうち、
PUSCH及びPUCCHを同時に伝送することができない時に、PUSCHのパワー制御公式は、
【数１】
2016530807.tif 000003
であり；
【０００４】
PUSCH及びPUCCHを同時に伝送することができる時に、PUSCHのパワー制御公式は、
【数２】
2016530807.tif 000004
であり、PUCCHのパワー制御公式は、
【数３】
2016530807.tif 000005
である。
【０００５】
LTEシステムでは、ユーザ装置がPUSCH及びPUCCHを同時に伝送することができないように構成されれば、同一ユーザ装置は、同一サブフレーム中で一つ又は複数のキャリア上でPUSCH及びPUCCHを同時に送信することができない。ユーザが同時にPUSCH及びPUCCHを伝送することができるように構成されれば、同一ユーザ装置は、同一サブフレーム中で同時に一つ又は複数のキャリア上でPUSCH及びPUCCHを送信することができる。しかし、PUCCHは、プライマリーコンポーネントキャリア（PCC、Primary  Component  Carrier）のみ上で伝送される。PUSCHが搬送（Ｃａｒｒｙ）する上り制御情報（UCI、Uplink  Control  Information）は、対応する全てのキャリアの上り制御情報を含み、且つ、これらの上り情報は、一つのみのキャリア上でのPUSCH内で伝送され得る。言い換えると、対応する全てのキャリアの上り制御情報は、合併され、或いは、所定のルールに従って一部が捨てられるしかなく、最終的には一つのみのCC上でPUCCH及び／又はPUSCHにて伝送され得る。
【０００６】
上り信号の送信パワーがユーザ装置のPCMAX（Configured  Maximum  Output  Power）を超えた後に、即ち、ユーザ装置の出力パワーのオーバーフローが発生した時に、ユーザ装置が上述の上り信号を送信する時に使用する送信パワーは、ユーザ装置のPCMAXに等しい。ユーザ装置は、対応する上りチャネルに対してパワー調整を行う必要がある。
【０００７】
図1は、LTE-Aシステム中でのユーザ装置が同一サブフレーム中で異なるセル上で同時に複数のPUCCHを送信することを示す図である。図2は、LTE-Aシステム中でのユーザ装置が同一サブフレーム中で異なるセル上で同時に複数のPUSCHを送信することを示す図である。図3は、LTE-Aシステム中でのユーザ装置が同一サブフレーム中で異なるセル上で同時にPUSCH及びPUCCHを送信することを示す図である。図4は、LTE-Aシステム中でのユーザ装置が同一サブフレーム内でプライマリーサービングセル上で同時にPUSCH及びPUCCHを送信することを示す図である。
【０００８】
図1に示すように、キャリアアグリゲーション技術を採用しているため、ユーザ装置が複数のサービングセルを構成した後に、同一サブフレーム中で異なるサービングセル上で同時に複数のPUCCHを送信することが出現し；又は、図2に示すように、異なるサービングセル上で同時に複数のPUSCHを送信することが出現し；又は、図3に示すように、同時にPUSCH及びPUCCHを送信することが出現する可能性がある。一方、ユーザ装置の能力が強化されているため、図4に示すように、ユーザ装置は、プライマリーサービングセル（Primary  Serving  Cell）上で同一サブフレーム中で同時にPUSCH及びPUCCHを送信することができる。
【０００９】
上述のようなことが出現した場合、即ち、同一サブフレーム内でユーザ装置が同時に複数のPUSCHを送信する必要があり、又は、ユーザ装置が同時にPUSCH及びPUCCHを送信する必要がある時に、複数のPUSCHの送信パワーの総和はユーザ装置のPCMAXよりも大きく、又は、PUSCH及びPUCCHの送信パワーの総和はユーザ装置のPCMAXより大きくなる可能性がある。このような場合におけるユーザ装置の送信パワーの割り当てを行うために、LTE-Aの標準では、ユーザ装置の送信パワー制限下でのパワー制御方法が定義されている。具体的には次の通りである。
【００１０】
UCI無しの複数のPUSCHのみを同時に送信する必要がある場合、この時に得られたトータルな送信パワーがユーザ装置のPCMAXを超えれば、ユーザ装置は、各PUSCH上で送信パワーを、トータルな送信パワーがユーザ装置のPCMAX以下になるまで、均等に下げる。
【００１１】
UCI無しのPUSCH及びPUCCHを同時に送信する必要がある場合、この時に得られたトータルな送信パワーがユーザ装置のPCMAXを超えれば、ユーザ装置は、先ず、PUCCHの送信パワーを満足するように保証し、その後、UCI無しの各PUSCH上で送信パワーを、トータルな送信パワーがユーザ装置のPCMAX以下になるまで、均等に下げる。次の公式（4）に示すようである。
【００１２】
例えば、UCI無しのPUSCH及びPUCCHを同時に伝送する時に、PUCCHチャネルの送信パワーを優先的に保証する。
【数４】
2016530807.tif 000006
【００１３】
UCI無しのPUSCH及びUCI有りのPUSCHを同時に送信する必要がある場合、この時に得られたトータルな送信パワーがユーザ装置のPCMAXを超えれば、ユーザ装置は、先ず、UCI有りのPUSCHの送信パワーを満足するように保証し、その後、UCI無しの各PUSCH上で送信パワーを、トータルな送信パワーがユーザ装置のPCMAX以下になるまで、均等に下げる。次の公式（5）に示すようである。
【００１４】
例えば、UCI有りのPUSCH及びUCI無しのPUSCHを同時に伝送する時に、UCI有りのPUSCHの送信パワーを優先的に保証する。
【数５】
2016530807.tif 000007
【００１５】
PUCCH、UCI無しのPUSCH及びUCI有りのPUSCHを同時に送信する必要がある場合、この時に得られたトータルな送信パワーがユーザ装置のPCMAXを超えれば、ユーザ装置は、先ず、PUCCHの送信パワーを満足するように保証し、次に、UCI有りのPUSCHの送信パワーを満足するように保証し、その後、UCI無しの各PUSCH上で送信パワーを、トータルな送信パワーがユーザ装置のPCMAX以下になるまで、均等に下げる。次の公式（6）に示すようである。
【００１６】
例えば、PUCCH、UCIを含む（即ち、UCI有り）PUSCH及びUCIを含まない（即ち、UCI無し）PUSCHを同時に伝送する時に、PUCCHを優先的に保証し、次にUCI有りのPUSCHを保証し、最後にUCI無しのPUSCHを保証する。
【数６】
2016530807.tif 000008
【００１７】
しかし、発明者は、従来の標準では、一つのサービングセルに対しての上りチャネルのパワー制御、又は、マルチキャリア技術下でのプライマリーサービングセル及びセカンダリーサービングセル（Secondary  Serving  Cell）が送信する上りチャネルのパワー制御だけが定義されていることを発見した。
【００１８】
ところが、スモール基地局の絶えない発展に伴い、Rel-12では、一つのマクロ基地局のカバレッジ内において複数のスモール基地局があるというシナリオが出現する見込みがある。各スモール基地局は、カバーする面積が比較的小さく、数量が比較的多い。また、スモール基地局は、マクロ基地局と異なる周波数点を占用しても良く、同じ周波数点を占用しても良い。スモール基地局とマクロ基地局との間のバックホール（Backhaul）は、理想的なものであっても良く、即ち、時間遅延がとても小さく又は完全に無視されても良く、且つ伝送能力が強い。しかしながら、より一般的には非理想的なものであり、即ち、伝送の時間遅延が比較的大きく、且つ伝送能力が限られている。従来の標準では、これらのシナリオ下でのユーザ装置の上りチャネルのパワー制御が未だ考慮されていない。
【００１９】
なお、上述の背景技術についての紹介は、本発明の技術案を明確且つ完全に説明し、当業者がそれを理解しやすいためのものである。これらの案は、本発明の背景技術の一部に記述されているため、当業者にとって周知であると解釈すべきではない。
【発明の概要】
【発明が解決しようとする課題】
【００２０】
本発明の実施例は、上りチャネルのパワー制御方法、ユーザ装置及び通信システムを提供し、目的は、少なくとも二つのセルとの接続を維持するユーザ装置について、上りチャネルの送信パワーの制御を行えることにある。
【課題を解決するための手段】
【００２１】
本発明の実施例の一側面によれば、上りチャネルのパワー制御方法が提供され、少なくとも二つのセルと接続を維持するユーザ装置に用いられ、前記方法は、
ユーザ装置が、同一サブフレーム内で前記少なくとも二つのセルに対して上り制御情報を含む上りチャネル信号を送信する時に、前記少なくとも二つのセルの前記上りチャネルの優先順位を確定（ソーティングとも言う）し；及び
前記優先順位の確定結果に基づいて、前記少なくとも二つのセルの前記上りチャネルに対して、パワー割り当てを行い、又は、上りチャネル選択を行うことを含む。
【００２２】
本発明の実施例の他の側面によれば、ユーザ装置が提供され、少なくとも二つのセルと接続を維持し、前記ユーザ装置は、
同一サブフレーム内で前記少なくとも二つのセルに対して上り制御情報を含む上りチャネル信号を送信する時に、前記少なくとも二つのセルの前記上りチャネルの優先順位を確定するための優先順位確定ユニット；及び
前記優先順位の確定結果に基づいて、前記少なくとも二つのセルの前記上りチャネルに対して、パワー割り当てを行い、又は、上りチャネル選択を行うためのパワー制御ユニットを含む。
【００２３】
本発明の実施例の他の側面によれば、通信システムが提供され、それは、
少なくとも二つのセルと接続を維持するユーザ装置を含み、
前記ユーザ装置は、同一サブフレーム内で前記少なくとも二つのセルに対して上り制御情報を含む上りチャネル信号を送信する時に、前記少なくとも二つのセルの前記上りチャネルの優先順位を確定し、及び、前記優先順位の確定結果に基づいて、前記少なくとも二つのセルの前記上りチャネルに対して、パワー割り当てを行い、又は、上りチャネル選択を行う。
【００２４】
本発明の実施例の他の側面によれば、コンピュータ可読プログラムが提供され、そのうち、ユーザ装置中で前記プログラムを実行する時に、前記プログラムは、コンピュータに、前記ユーザ装置中で上述の上りチャネルのパワー制御方法を実行させる。
【００２５】
本発明の実施例の他の側面によれば、コンピュータ可読プログラムを記憶した記憶媒体が提供され、そのうち、前記コンピュータ可読プログラムは、コンピュータに、ユーザ装置中で上述の上りチャネルのパワー制御方法を実行させる。
【００２６】
本発明の実施例の有益な効果は、少なくとも二つのセルと接続を維持するユーザ装置が同一サブフレーム内で異なるサービングセル上でUCIを含む上りチャネルを同時に送信する時に送信パワーの総和がPCMAXよりも大きくなる可能性があるという問題を解決することができる。
【００２７】
後述の説明及び図面を参照することで、本発明の特定の実施形態を詳しく開示しており、本発明の原理を採用し得る態様を示している。なお、本発明の実施形態は、範囲上ではこれによって限定されない。添付した特許請求の範囲内であれば、本発明の実施形態は、様々な変更、修正及び代替によるものを含んでも良い。
【００２８】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００２９】
なお、「含む／有する」のような用語は、本明細書に使用される時に、特徴、要素、ステップ、又は、アセンブルの存在を指すが、１つ又は複数の他の特徴、要素、ステップ、又は、アセンブリの存在又は付加を排除しないということも指す。
【図面の簡単な説明】
【００３０】
以下の図面を参照することで本発明の多くの側面をより良く理解することができる。なお、図面中の要素は、比例して描かれたものではなく、本発明の原理を示すためだけのものである。本発明の一部を便利に説明及び例示するために、図面中の対応する一部は、拡大又は縮小されることがある。
【００３１】
また、本発明の１つの図面又は実施方式に記載の要素及び特徴は、１つ又は複数の他の図面又は実施方式に示す要素及び特徴と組み合わせることができる。さらに、図面では、類似した符号は幾つかの図面中の対応する要素を示し、また、複数の実施方式に使用される対応する要素を示すために用いることもできる。
【図１】LTE-Aシステム中のユーザ装置が同一サブフレーム中で異なるセル上で複数のPUCCHを同時に送信することを示す図である。
【図２】LTE-Aシステム中のユーザ装置が同一サブフレーム中で異なるセル上で複数のPUSCHを同時に送信することを示す図である。
【図３】LTE-Aシステム中のユーザ装置が同一サブフレーム中で異なるセル上でPUSCH及びPUCCHを同時に送信することを示す図である。
【図４】LTE-Aシステム中のユーザ装置が同一サブフレーム中でプライマリーサービングセル上でPUSCH及びPUCCHを同時に送信することを示す図である。
【図５】ユーザ装置がマクロ基地局及びスモール基地局との接続を維持することを示す図である。
【図６】ユーザ装置がマクロ基地局及びスモール基地局との接続を維持することを示す他の図である。
【図７】ユーザ装置がマクロ基地局及びスモール基地局との接続を維持することを示す他の図である。
【図８】本発明の実施例によるパワー制御方法のフローチャートである。
【図９】本発明の実施例によるユーザ装置の構成図である。
【図１０】本発明の実施例による通信システムの構成図である。
【発明を実施するための形態】
【００３２】
添付した図面及び以下の説明を参照することにより、本発明の前述及び他の特徴は明らかになる。明細書及び図面では、本発明の特定の実施形態が開示され、それは、本発明の原理を採用し得る一部の実施形態を示す。理解すべきは、本発明は、記載されている実施形態に限定されず、添付した特許請求の範囲に属するすべての変更、変形及び代替によるものも含むということである。
【００３３】
図5は、ユーザ装置がマクロ基地局及びスモール基地局との接続を維持することを示す図である。図5に示すように、ユーザ装置は、マクロ基地局と周波数f1を採用して接続を維持し、スモール基地局と周波数f2を採用して接続を維持することができる。図6は、ユーザ装置がマクロ基地局及びスモール基地局と接続を維持することを示す他の図である。図6に示すように、ユーザ装置は、マクロ基地局と周波数f1を採用して接続を維持し、スモール基地局と同じ周波数f1を採用して接続を維持することもできる。図7は、ユーザ装置がマクロ基地局及びスモール基地局と接続を維持することを示す他の図である。図7に示すように、ユーザ装置は、マクロ基地局と周波数f1を採用して接続を維持し、一つのスモール基地局と周波数f2を採用して接続を維持し、また、もう一つのスモール基地局と同じ周波数f2を採用して接続を維持することができる。
【００３４】
図5〜図7に示すように、ユーザ装置は、一種の異なるeNB下でのキャリアアグリゲーション（inter-eNB）のようなシナリオ下でワーキングすることができる。スモール基地局及びマクロ基地局が異なるeNBに属し、且つバックホールが非理想的なものであるので、上り制御信号を各eNBの上りチャネル上で送信することはより適切である。そうすると、次のようなことが出現する可能性があり、即ち、スモール基地局及びマクロ基地局上でPUCCHを同時に送信し；或いは、スモール基地局上でUCIを含むPUSCHを送信し、マクロ基地局上でUCIを含むPUSCHも送信し、又は、スモール基地局上でUCIを含むPUSCHを送信し、マクロ基地局上でPUCCHを送信し；或いは、スモール基地局上でPUCCHを送信し、スモール基地局上でUCIを含むPUSCHを送信し；或いは、スモール基地局上でPUCCH及びUCIを含むPUSCHを送信し、マクロ基地局上でPUCCHのみを送信し；或いは、マクロ基地局上でPUCCH及びUCIを含むPUSCHを送信し、スモール基地局上でPUCCHのみを送信し；或いは、スモール基地局上でPUCCH及びUCIを含むPUSCHを送信し、マクロ基地局でUCIを含むPUSCHのみを送信し；或いは、マクロ基地局上でPUCCH及びUCIを含むPUSCHを送信し、スモール基地局上でUCIを含むPUSCHのみを送信し；或いは、スモール基地局上でPUCCH及びUCIを含むPUSCHを送信し、マクロ基地局上でPUCCH及びUCIを含むPUSCHも送信することであり、なお、PUCCH、UCIを含むPUSCH及びUCIを含まないPUSCHの組み合わせの場合については、ここではその詳しい説明を省略する。
【００３５】
以上、ユーザ装置がマクロ基地局及びスモール基地局との接続を維持することのみについて例示に説明したが、本発明はこれに限定されない。以下、図5〜図7に示すシナリオのみを例として、本発明の実施例について詳細に説明する。
【実施例１】
【００３６】
本発明の実施例は上りチャネルのパワー制御方法を提供し、それは少なくとも二つのセルと接続を維持するユーザ装置側に用いられる。図8は本発明の実施例によるパワー制御方法のフローチャートである。図8に示すように、前記方法は次のステップを含む。
【００３７】
ステップ801：ユーザ装置が、同一サブフレーム内で少なくとも二つのセルに対してUCIを含む上りチャネル信号を送信する時に、少なくとも二つのセルの上りチャネルに対して優先順位の確定（ソーティングともいう）を行い；
ステップ802：ユーザ装置が、優先順位の確定結果に基づいて、少なくとも二つのセルの上りチャネルに対して、パワー割り当てを行い、又は、上りチャネル選択を行う。
【００３８】
本実施例では、少なくとも二つのセルは、図5〜図7に示すように、マクロ基地局及びスモール基地局により形成されても良い。例えば、マクロ基地局（Macro  eNB）下での一つのマクロセル及びスモール基地局（Small  Cell  eNB）下での一つ又は複数のスモールであってもよく、一つの主導的な地位のプライマリーセル及び一つ又は複数の従属的な地位のセカンダリーセルであっても良く、又は、複数のスモールなどであっても良い。本発明はこれに限定されない。以下、二つのセルのみを例として説明を行うが、三つ以上のセルの場合も同様である。
【００３９】
本実施例では、少なくとも二つのセルの基地局の間は非理想的バックホール（Non-Ideal  Backhaul）を有しても良いが、本発明はこれに限定されない。なお、同一eNBに属し且つ理想的バックホールで接続される複数のセルについては、従来技術に従って処理しても良い。
【００４０】
本実施例では、同一サブフレーム内とは、サブフレーム順番号が同じであるサブフレームを指しても良いが、本発明はこれに限定されない。例えば、二つのセルが同期されない場合、同一サブフレーム内とは、サブフレーム順番号が同じであるものに限定されず、時間（次元）上で一つのサブフレームの長さと同じである期間であっても良い。
【００４１】
本実施例では、ステップ801の前に、ユーザ装置は、受信した下り信号に基づいて、ACK／NACKフィードバックを生成しても良く；或いは、周期性CSIによる周期及びオフセット、又は、受信した非周期性CSIトリガー指示、又は、上りサービスに必要なリソース要求に基づいて、対応する上り制御情報を生成しても良い。
【００４２】
ステップ802の後に、ユーザ装置は、上りチャネルに対してのパワー割り当ての結果に基づいて、又は、上りチャネルに対しての上りチャネル選択の結果に基づいて、上りチャネル信号を送信しても良い。なお、UCIの生成及び上りチャネルの送信などの具体的な内容については、従来技術を参照することができる。
【００４３】
本実施例では、PUCCHを例とし、即ち、少なくとも二つのセルの上りチャネルは、一つセルに対してのPUCCH及びもう一つのセルに対してのPUCCHを含む。先ず、ユーザ装置が同一サブフレーム内で、一つのサービングセル上でPUCCHを送信し、他のサービングセル上でPUCCHも送信する必要があるかどうかを確定しても良い。
【００４４】
ステップ801では、少なくとも二つのセルの上りチャネルに対しての優先順位の確定は、具体的に、PUCCHが含むUCIの類型、及び／又は、少なくとも二つのセルの類型又は索引番号（Index）に基づいて、PUCCHの優先順位を確定することを含む。
【００４５】
一つの実施方式では、ユーザ装置が同一サブフレーム内で、一つのサービングセル上でPUCCH信号を送信し、もう一つのサービングセル上でPUCCH信号も送信する必要がある時に、PUCCHが搬送するUCIの類型に基づいて、パワー割り当ての優先順位を確定することができる。
【００４６】
そのうち、PUCCHが搬送するのは、ACK／NACKフィードバック、スケジュール要求（SR、Schedule  Request）又は周期性チャネル状態情報（CSI、Channel  State  Information）報告であっても良い。優先順位の確定は、次のような条件のうちの一つ又は組み合わせを採用しても良く、即ち、
条件1：ACK／NACKを含むPUCCHの優先順位は、周期性CSIを含むPUCCHの優先順位より高く；
条件2：SRを含むPUCCHの優先順位は、周期性CSIを含むPUCCHの優先順位より高く；
条件3：ACK／NACKを含むPUCCHの優先順位は、SRを含むPUCCHの優先順位より高い。
【００４７】
また、該方法は更に、
条件4：異なる類型の周期性CSIを含むPUCCHに対して優先順位の確定を行うということを含む。
【００４８】
そのうち、周期性CSI報告は、次のようなもののうちの一つ又は組み合わせであっても良く、即ち、
・Type  1：report  supports  CQI  feedback  for  the  UE  selected  sub-bands
・Type  1a：report  supports  subband  CQI  and  second  PMI  feedback
・Type  2、Type  2b及びType  2c：report  supports  wideband  CQI  and  PMI  feedback
・Type  2a：report  supports  wideband  PMI  feedback
・Type  3：report  supports  RI  feedback
・Type  4：report  supports  wideband  CQI
・Type  5：report  supports  RI  and  wideband  PMI  feedback
・Type  6：report  supports  RI  and  PTI  feedback
である。
【００４９】
そのうち、異なる類型の周期性CSI報告を含むPUCCHについては、
最も高い優先順位:Types  3、5、6、2a
二番目に高い優先順位:Types  2、2b、2c、4
三番目に高い優先順位:Types  1、1a
のように優先順位を確定しても良い。
【００５０】
また、周期性CSIを含むPUCCHの優先順位が同じである時に、CSI  ProcessのID（識別子）の大小（サイズ）に基づいて優先順位をさらに確定しても良い。例えば、CSI  Process  IDが小さいほど、優先順位が低い。
【００５１】
なお、上述の条件は、単独で使用しても良く、そのうちの幾つかを組み合せて使用しても良く、又は、全てを使用しても良く、本発明はこれに限定されない。
【００５２】
本実施例では、PUCCHが２種類又は２種類以上のUCIを含む時に、２種類又は２種類以上のUCIの優先順位に従って、該PUCCHの優先順位を確定しても良い。
【００５３】
具体的には、一つのPUCCH中で１種類以上の類型のUCIを搬送する場合、複数のPUCCHの優先順位を比較する時に、先ず、各PUCCH中の最高優先順位のUCIに基づいて比較を行い；最高優先順位のUCIの優先順位が同じであれば、各PUCCH中の二番目に高い優先順位のUCIに基づいて比較を行い；これに基づいて類推することができる。
【００５４】
例えば、一つのセル1上でのPUCCHがACK／NACK及び周期性CSIを搬送し、もう一つのセル2上でのPUCCHがSRを搬送する場合、セル1上での優先順位最高のACK／NACKの優先順位が、セル2上での優先順位最高のSRの優先順位よりも高いので、セル1上でのPUCCHの優先順位がセル2上でのPUCCHの優先順位よりも高いと判断することができる。
【００５５】
もう一つの実施方式では、ユーザ装置が同一サブフレーム内で、一つのサービングセル上でPUCCH信号を送信し、もう一つのサービングセル上でPUCCH信号も送信する必要がある時に、各セルの索引番号／類型に基づいて、パワー割り当ての優先順位を確定しても良い。
【００５６】
そのうち、一つのセルは、プライマリーサービングセルであり、他のサービングセルは、セカンダリーサービングセルであっても良い。或いは、一つのセルは、プライマリーサービングセルであり、他のセルは、従属的な地位のプライマリーサービングセル又はセカンダリーサービングセルであっても良い。或いは、一つのセルは、マクロセルであり、他のセルは、スモールであっても良い。或いは、所定ルールに基づいてセルに対して優先順位の確定を行っても良く、例えば、制御レベルの信号を搬送するセルの優先順位は、ユーザレベルの信号を搬送するセルの優先順位よりも高いなどである。
【００５７】
本実施方式では、優先順位の確定は、次のような条件のうちの一つ又は組み合わせを採用しても良く、即ち、プライマリーセルに対してのPUCCHの優先順位は、セカンダリーセルに対してのPUCCHの優先順位よりも高く；マクロセルに対してのPUCCHの優先順位は、スモールに対してのPUCCHの優先順位よりも高く；索引番号が小さいセルに対してのPUCCHの優先順位は、索引番号が大きいセルに対してのPUCCHの優先順位よりも高い。
【００５８】
なお、上述の条件は、単独で使用しても良く、又は、そのうちの幾つかを組み合せて使用しても良く、又は、全てを使用しても良く、本発明はこれに限定されない。
【００５９】
もう一つの実施方式では、ユーザ装置が同一サブフレーム内で、一つのサービングセル上でPUCCH信号を送信し、もう一つのサービングセル上でPUCCH信号も送信する必要がある時に、PUCCHが搬送するUCIの類型及び各セルの索引番号／類型に基いいて、パワー割り当ての優先順位を共同（ジョイント）で確定しても良い。
【００６０】
具体的には、先ず、PUCCHが搬送するUCIの類型に基づいて優先順位を確定しても良く、該優先順位が同じであれば、次にセルの索引番号／類型に基づいて優先順位を確定する。
【００６１】
例えば、ユーザ装置がマクロ基地局上で周期性CSI報告を搬送するPUCCHを送信し、スモール基地局上でACK／NACKを搬送するPUCCHを送信する必要があるとき、ACK／NACKが周期CSI報告よりも高いという条件に従って、スモール基地局上でのPUCCHの優先順位が最高であると確定することができる。
【００６２】
また、例えば、ユーザ装置がマクロ基地局上で周期性CSI報告を搬送するPUCCHを送信し、スモール基地局1上でACK／NACKを搬送するPUCCHを送信し、また、スモール基地局2上で周期性CSI報告を搬送するPUCCHを送信する必要があり、且つ該周期性CSI報告及びマクロ基地局上でのものの類型が同じであり、例えば、すべてが類型3（Type  3）であるとき、ACK／NACKが周期CSI報告よりも高いという条件に従って、スモール基地局1上でのPUCCHの優先順位が最高であると確定し；また、マクロ基地局が形成するセルが、スモール基地局が形成するセルよりも優先的であるという条件に従って、マクロ基地局上でのPUCCHの優先順位が二番目であり、スモール基地局2上でのPUCCHの優先順位が最も低いと確定することができる。
【００６３】
具体的には、さらにセルの索引番号／類型に基づいて優先順位を確定しても良く、該優先順位が同じであれば、次にPUCCHが搬送するUCIの類型に基づいて優先順位を確定しても良い。
【００６４】
例えば、ユーザ装置がマクロ基地局上で周期性CSI報告を搬送するPUCCHを送信し、スモール基地局上でACK／NACKを搬送するPUCCHを送信する必要があるとき、マクロ基地局が形成するセルが、スモール基地局が形成するセルよりも優先的であるという条件に従って、マクロ基地局上でのPUCCHの優先順位が最高であると確定することができる。
【００６５】
なお、以上、少なくとも二つのセルのPUCCHに対して如何に優先順位の確定を行うかを説明したが、本発明はこれに限定されず、実際の状況に応じて、具体的な優先順位の確定方式を採用しても良い。また、上述の優先順位の確定を行った後に、複数のPUCCHが同じ優先順位を有する場合が存在する。以下、ユーザ装置の送信パワーが制限される場合、優先順位確定後のPUCCHに対して如何に送信パワーを割り当てるかについて説明する。
【００６６】
一つの実施方式では、ステップ702で、優先順位の確定結果に基づいて少なくとも二つのセルの上りチャネルに対してパワー割り当てを行い、具体的には、優先順位が高い一つ又は複数のPUCCHにパワーを割り当て、そして、残りのパワーがある場合、該残りのパワーを、優先順位が低い一つ又は複数のPUCCHに割り当てることを含む。
【００６７】
具体的には、ユーザ装置が同一サブフレーム内で、一つのサービングセル上でPUCCH信号を送信し、他のサービングセル上でPUCCH信号も送信する必要があり、且つユーザ装置の送信パワーがPCMAX
（外１）
2016530807.tif 000009
を超える可能性があると確定するとき、前記サブフレーム内でPUCCH信号に対してパワーの割り当てを行う。
【００６８】
所定の優先順位に基づいて、各セル上でのPUCCHに対してソーティングを行う。優先順位が高いPUCCHに優先的にパワーを割り当て、優先順位が比較的低い信号の送信パワーを下げ、これにより、優先順位が比較的高い信号の送信を保証することができる。以下の説明では、残りの送信パワーとは、ユーザ装置のPCMAXから、既に分配された送信パワーを引いた後に残った送信パワーを指す。
【００６９】
即ち、優先順位が最も高いPUCCHは、式（3）に従って計算することができ、優先順位が最も高いPUCCHが第j個目のキャリア／セル上で伝送されるとすると、
【数７】
2016530807.tif 000010
である。
【００７０】
優先順位が同じであるPUCCHが複数ある場合、
【数８】
2016530807.tif 000011
である。
【００７１】
そのうち、w(i)は、パワー割り当ての重みであり、優先順位が同じであるPUCCHは、w(i)が同じである。
【００７２】
優先順位が最も高いPUCCHのパワーがまだユーザ端末のPCMAX
（外２）
2016530807.tif 000012
に達していない場合、二番目に高い優先順位のPUCCHにパワーを割り当て、二番目に高い優先順位のPUCCHが第c個目のキャリア／セル上で伝送されるとすると、
【数９】
2016530807.tif 000013
である。
【００７３】
これに基づいて類推して、優先順位が最も低いPUCCH以外の他のPUCCHのパワーの和が未だユーザ装置のPCMAX
（外３）
2016530807.tif 000014
に達していない場合、優先順位が最も低いPUCCHにパワーを割り当て、優先順位が最も低いPUCCHが第d個目のキャリア／セル上で伝送されるとすると、
【数１０】
2016530807.tif 000015
である。
【００７４】
優先順位が最も低いPUCCHが複数ある場合、
【数１１】
2016530807.tif 000016
である。
【００７５】
言い換えると、上述の方式は、先ず、優先順位最高のPUCCHがフルパワーで送信する時にユーザ装置のPCMAXを超えないかどうかを判断し；超えた場合、優先順位最高の全てのPUCCHに対して均等パワー割り当てを行い、他の低い優先順位のPUCCHを送信しない。超えない場合、優先順位最高のPUCCHのフルパワー送信を保証する。残りのパワーがある場合、優先順位が二番目に高い全てのPUCCHがフルパワーで送信する時にユーザ装置のPCMAXを超えないかどうかを判断し；超えた場合、二番目に高い優先順位の全てのPUCCHに対して均等パワー割り当てを行い、他の低い優先順位のPUCCHを送信せず；超えない場合、二番目に高い優先順位のPUCCHのフルパワー送信を保証する。残りのパワーが依然としてある場合、三番目に高い優先順位のPUCCHに対してパワー割り当てを行い；これに基づて類推することができる。
【００７６】
例えば、ユーザ装置が二つのセル上でそれぞれPUCCHを送信する必要があり、そのうち、セル1上でのPUCCHの優先順位がセル2上でのPUCCHよりも高いとする場合、ユーザ装置がセル1上でPUCCHを送信するパワー
（外４）
2016530807.tif 000017
は、従来技術、例えば式（3）に従って計算することができる。セル2上でPUCCHを送信するパワー
（外５）
2016530807.tif 000018
は、式（8）に従って計算することができ、即ち、
【数１２】
2016530807.tif 000019
である。
【００７７】
ユーザ装置が三つのセル上でそれぞれPUCCHを送信する必要があり、そのうち、セル1上でのPUCCH優先順位がセル2上でのPUCCHよりも高く、セル2上でのPUCCHがセル3上でのPUCCHよりも高いとする場合、ユーザ装置がセル1でPUCCHを送信するパワー
（外６）
2016530807.tif 000020
は、従来技術、例えば式（3）に従って計算することができる。セル2上でPUCCHを送信するパワー
（外７）
2016530807.tif 000021
は、式（8）に基づいて計算することができる。セル3上で送信するPUCCHのパワー
（外８）
2016530807.tif 000022
は、式（9）に基づいて計算することができ、即ち、
【数１３】
2016530807.tif 000023
である。
【００７８】
ユーザ装置が三つのセル上でそれぞれPUCCHを送信する必要があり、そのうち、セル1上でのPUCCHの優先順位がセル2上でのPUCCHよりも高く、セル3上でのPUCCHとセル2上でのPUCCHとの優先順位が同じであるとする場合、ユーザ装置がセル1上でPUCCHを送信するパワー
（外９）
2016530807.tif 000024
は、従来技術、例えば式（3）に従って計算することができる。セル2及びセル3上でのPUCCHのパワーは、式（10）に基づいて計算することができ、即ち、
【数１４】
2016530807.tif 000025
である。
【００７９】
ユーザ装置が五つのセル上でそれぞれPUCCHを送信する必要があり、そのうち、セル1上でのPUCCHの優先順位がセル2上でのPUCCHよりも高く、セル2上でのPUCCHの優先順位がセル4上でのPUCCHよりも高く、セル3上でのPUCCHとセル2上でのPUCCHとの優先順位が同じであり、セル5上でのPUCCHとセル4上でのPUCCHとの優先順位が同じであるとする場合、ユーザ装置がセル1上でPUCCHを送信するパワー
（外１０）
2016530807.tif 000026
は、従来技術、例えば式（3）に基づいて計算することができる。セル2及びセル3、セル4及びセル5上でのPUCCHのパワーは、
【数１５】
2016530807.tif 000027
或いは、
【数１６】
2016530807.tif 000028
である。
【００８０】
もう一つの実施方式では、ステップ702で、優先順位の確定結果に基づいて少なくとも二つのセルの上りチャネルに対してパワー割り当てを行い、具体的には、優先順位の確定結果に基づいて、PUCCHの送信パワーに対して重み付け処理を行い、そして、重みに基づいて、各PUCCHに対してパワー割り当てを行うことを含む。
【００８１】
言い換えると、各種の優先順位のPUCCHの全てに対してパワー割り当てを行い、優先順位が高いPUCCHに比較的高いパワーを与え、優先順位が低いPUCCHに比較的低いパワーを与える。
【００８２】
もう一つの実施方式では、ステップ802で、優先順位の確定結果に基づいて少なくとも二つのセルの上りチャネルに対して選択を行い、具体的には、優先順位が最も高い一つPUCCHにパワーを割り当て、他のPUCCHを捨てることを含む。
【００８３】
具体的には、ユーザ装置が同一サブフレーム内で、一つのサービングセル上でPUCCH信号を送信し、他のサービングセル上でPUCCH信号も送信する必要があり、且つユーザ装置の送信パワーがPCMAX
（外１１）
2016530807.tif 000029
を超える可能性があると確定するときに、前記サブフレーム内で一つのみのPUCCHを送信し、他のPUCCH信号を捨てても良い。
【００８４】
上述の方法により、同一サブフレーム内で異なるサービングセル上でPUCCHを同時に送信する時に、複数のPUCCHに対してパワー割り当てを行い、或いは、一つのみのPUCCHを選択して送信し、ユーザ装置の送信パワーを下げることにより、同一サブフレーム内で異なるサービングセル上でPUCCHを同時に送信する時に送信パワーの総和がPCMAXよりも大きくなる可能性があるという問題を解決することができる。
【実施例２】
【００８５】
本発明の実施例は上りチャネルのパワー制御方法を提供し、それは、少なくとも二つのセルと接続を維持するユーザ装置側に用いられる。本実施例では、少なくとも二つのセルに対してのPUSCHを例として説明を行い、実施例1と同じ内容は省略される。
【００８６】
そのうち、PUSCHを搬送する二つのセルは、異なる基地局下での同じ類型／索引番号のセルであっても良く、例えば、それぞれマクロ基地局及びスモール基地局下でのプライマリーセルであっても良く、又は、それぞれマクロ基地局及びスモール基地局下での索引番号が同じのセカンダリーセルであっても良く；或いは、異なる基地局下での異なる類型／索引番号のセルであっても良く、例えば、それぞれマクロ基地局下でのプライマリーセル及びスモール基地局下でのセカンダリーセルであっても良く；或いは、同一eNB下での異なる類型／索引番号のセルであっても良い。なお、本発明はこれに限定されない。
【００８７】
本実施例では、少なくとも二つのセルの上りチャネルは、一つセルに対してのPUSCH及びもう一つのセルに対してのPUSCHを含んでも良く；また、少なくとも二つのセルの上りチャネルに対しての優先順位の確定は、具体的に、PUSCHに含まれているUCIの類型、及び／又は少なくとも二つのセルの類型又は索引番号に基づいてPUSCHの優先順位を確定することを含む。
【００８８】
ユーザ装置がPUSCH及びPUCCHの同一又は異なるキャリア上での同時送信をサポートする場合、この種の構成下でPUSCH上でUCIを搬送すれば、周期性又は非周期性CSIを含む可能性がある。ユーザ装置がPUSCH及びPUCCHの同一又は異なるキャリア上での同時送信をサポートしない場合、この種の構成下でPUSCH上でUCIを搬送すれば、ACK／NACK、周期性CSI又は非周期性CSIを含む可能性がある。
【００８９】
一つの実施方式では、ユーザ装置が同一サブフレーム内で、一つのサービングセル上でPUSCH信号を送信し、もう一つのサービングセル上でPUSCH信号も送信する必要がある時に、PUSCHが搬送するUCIの類型に基づいて、パワー割り当ての優先順位を確定することができる。
【００９０】
そのうち、PUSCHが搬送するUCIは、ACK／NACK、周期性CSI報告又は非周期性CSI報告を含んでも良い。周期性CSI報告の可能な組み合わせは実施例1に既に詳細されているので、ここでは省略される。従来標準によれば、非周期性CSI報告は、上述のように、RI、ワイドバンド又はサブバンド第一PMI／第二PMI、ワイドバンド又はサブバンドCQIを含んでも良い。
【００９１】
本実施例では、PUSCHが含むUCIの類型に基づいてPUSCHの優先順位を確定する時に、次のような条件のうちの一つ又は組み合わせを含んでも良く、即ち、
条件5：ACK／NACKを含むPUSCHの優先順位は、周期性CSIを含むPUSCHの優先順位よりも高く；
条件6：ACK／NACKを含むPUSCHの優先順位は、非周期性CSIを含むPUSCHの優先順位よりも高く；
条件7：非周期性CSIを含むPUSCHの優先順位は、周期性CSIを含むPUSCHの優先順位よりも高い。
【００９２】
また、該方法更に、異なる類型の周期性CSIを含むPUSCHに対して優先順位の確定を含んでも良く、なお、異なる類型の周期性CSIの優先順位については、実施例1を参照することができる。
【００９３】
或いは、更に、異なる類型の非周期性CSIを含むPUSCHに対して優先順位の確定を行っても良い。例えば、フィードバック類型（Feedback  Type）に基づいて優先順位を確定することができ、例えば、モード1-2、2-2などである。フィードバック類型については、次の表1を参照することができる。
【表１】
2016530807.tif 000030
【００９４】
また、周期性CSIを含むPUSCHの優先順位が同じである時に、CSI  ProcessのIDの大小に基づいて優先順位をさらに確定しても良く。或いは、非周期性CSIを含むPUSCHの優先順位が同じである時に、CSI  ProcessのIDの大小に基づいて優先順位をさらに確定しても良い。
【００９５】
なお、上述の条件は、単独で使用しても良く、又は、そのうちの幾つかを組み合わせて使用しても良く、又は、全てを使用しても良く、本発明はこれに限定されない。
【００９６】
本実施方式では、PUSCHが２種類又は２種類以上のUCIを含む時に、２種類又は２種類以上のUCIの優先順位に基づいてPUSCHの優先順位をさらに確定しても良い。
【００９７】
具体的には、一つのPUSCH中で一種類以上の類型のUCIを搬送する場合、PUSCHの優先順位を比較する時に、先ず、PUSCH中の最高優先順位のUCIに基づいて比較を行っても良く；最高優先順位のUCIの優先順位が同じであれば、次にPUSCH中の二番目に高い優先順位のUCIに基づいて比較を行っても良く；これに基づいて類推することができる。
【００９８】
例えば、セル1上でのPUSCHがACK／NACK及び周期性CSIを搬送し、セル2上でのPUSCHが非周期CSIを搬送する場合、セル1上での優先順位最高のACK／NACKの優先順位が、セル2上での非周期CSIの優先順位よりも高いので、セル1上でのPUSCHの優先順位がセル2上でのPUSCHの優先順位よりも高いと判断することができる。
【００９９】
もう一つの実施方式では、ユーザ装置が同一サブフレーム内で、一つのサービングセル上でPUSCH信号を送信し、もう一つのサービングセル上でPUSCH信号も送信する必要がある時に、少なくとも二つのセルの類型／索引番号に基づいて、パワー割り当ての優先順位を確定することができる。
【０１００】
具体的には、次のような条件のうちの一つ又は組み合わせを採用しても良く、即ち、プライマリーセルに対しての物理上り共有チャネルの優先順は、セカンダリーセルに対しての物理上り共有チャネルの優先順位よりも高く；マクロセルに対しての物理上り共有チャネルの優先順位は、スモールに対しての物理上り共有チャネルの優先順位よりも高く；索引番号が小さいセルに対しての物理上り共有チャネルの優先順位は、索引番号が大きいセルに対しての物理上り共有チャネルの優先順位よりも高い。
【０１０１】
なお、上述の条件は、単独で使用しても良く、又は、そのうちの幾つかを組みあわせて使用しても良く、又は、全てを使用しても良く、本発明はこれに限定されない。
【０１０２】
もう一つの実施方式では、ユーザ装置が同一サブフレーム内で、一つのサービングセル上でPUSCH信号を送信し、もう一つのサービングセル上でPUSCH信号も送信する必要がある時に、PUSCHが搬送するUCIの類型及び各セルの索引番号／類型に基づいてパワー割り当ての優先順位をジョイント確定することができる。
【０１０３】
また、PUSCHがUCIを搬送しない場合、UCIを搬送するPUSCHの優先順位は、UCIを搬送しないPUSCHよりも高い。なお、UCIを搬送しないPUSCHについては、従来技術を参照することができる。
【０１０４】
以上、少なくとも二つのセルのPUSCHに対して如何に優先順位の確定を行うかのみ説明したが、本発明はこれに限定されない、実際のニーズに応じて、具体的な優先順位の確定方式を採用しても良い。上述の優先順位の確定を行った後に、複数のPUSCHが同じ優先順位を有する場合も存在する。以下、ユーザ装置の送信パワーが制限される場合、優先順位確定後のPUSCHに対して如何に送信パワーを分配するかについて説明する。
【０１０５】
一つの実施方式では、優先順位の確定結果に基づいて、少なくとも二つのセルの上りチャネルに対してパワー割り当てを行い、具体的には、優先順位が高い一つ又は複数のPUSCHにパワーを割り当て、そして、残りのパワーがある場合、該残りのパワーを、優先順位が低い一つ又は複数のPUSCHに割り当てる。
【０１０６】
具体的には、ユーザ装置が同一サブフレーム内で、一つのサービングセル上でPUSCH信号を送信し、他のサービングセル上でPUSCH信号も送信する必要があり、且つユーザ装置の送信パワーがPCMAX
（外１２）
2016530807.tif 000031
を超える可能性があると確定した時に、前記サブフレーム内でPUSCH信号に対してパワー割り当てを行う。
【０１０７】
所定の優先順位に基づいて、各セル上でのPUSCHに対してソーティングを行う。優先順位が高いPUSCHに優先的にパワーを割り当て、優先順位が比較的低い信号の送信パワーを下げることで、優先順位が比較的高い信号の送信を保証することができる。以下の説明では、残りの送信パワーとは、ユーザ装置のPCMAXから、既に分配された送信パワーを引いた後に残った送信パワーを指す。
【０１０８】
例えば、ユーザ装置がPUSCH及びPUCCHの同一又は異なるキャリア上での同時送信をサポートしない場合、PUCCHを送信せず、PUSCHのみを送信する時に、優先順位最高のPUSCHは、式（2）に基づいて計算することができ、優先順位最高のPUSCHが第k個目のキャリア／セル上で伝送されるとすると、
【数１７】
2016530807.tif 000032
である。
【０１０９】
優先順位が同じのPUSCHが複数ある場合、
【数１８】
2016530807.tif 000033
である。
【０１１０】
そのうち、w(i)はパワー割り当ての重みであり、優先順位が同じのPUSCHは、w(i)が同じである。
【０１１１】
優先順位最高のPUSCHのパワーが未だユーザ装置のPCMAX
（外１３）
2016530807.tif 000034
に達してない場合、二番目に高い優先順位のPUSCHにパワーを割り当てても良く、二番目に高い優先順位のPUSCHが第c個のキャリア／セル上で伝送されるとすれば、
【数１９】
2016530807.tif 000035
である。
【０１１２】
これに基づいて類推して、優先順位最低のPUSCH以外の他のPUSCHのパワーの和が未だユーザ装置のPCMAX
（外１４）
2016530807.tif 000036
に達していない場合、優先順位最低のPUSCHにパワーを割り当てても良く、優先順位最低のPUSCHが第d個目のキャリア／セル上で伝送されるとすると、
【数２０】
2016530807.tif 000037
である。
【０１１３】
優先順位最低のPUSCHが複数ある場合、
【数２１】
2016530807.tif 000038
である。
【０１１４】
上述の方式は、先に、優先順位最高のPUSCHがフルパワーで送信する時にユーザ装置PCMAXを超えないかどうかを判断し；超えた場合、優先順位最高の全てのPUSCHに対して均等パワー割り当てを行い、他の低い優先順位のPUSCHを送信せず；超えない場合、優先順位最高のPUSCHのフルパワー送信を保証する。残りのパワーがあれば、優先順位が二番目に高い全てのPUSCHがフルパワーで送信する時にユーザ装置のPCMAXを超えないかどうかを判断し；超えた場合、優先順位が二番目に高い全てのPUSCHに対して均等パワー割り当てを行い、他の低い優先順位のPUSCHを送信せず；超えない場合、優先順位が二番目に高いPUSCHのフルパワー送信を保証する。また、残りのパワーが依然としてあれば、三番目に高い優先順位のPUSCHのためにパワー割り当てを行う。これに基づいて類推することができる。
【０１１５】
一つの実施方式では、優先順位の確定結果に基づいて少なくとも二つのセルの上りチャネルに対してパワー割り当てを行い、具体的には、優先順位の確定結果に基づいて、PUSCHの送信パワーに対して重みを付け、そして、重みに基づいて各PUSCHに対してパワー割り当てを行うことができる。
【０１１６】
具体的には、各種の優先順位のPUSCHの全てに対してパワー割り当てを行い、優先順位が高いPUSCHに比較的高いパワーを与え、優先順位が低いPUSCHに比較的低いパワーを与える。
【０１１７】
以上の方法より、同一サブフレーム内で異なるサービングセル上でPUSCHを同時に送信する必要がある時に、複数のPUSCHに対してパワー割り当てを行い、ユーザ装置の送信パワーを下げることで、同一サブフレーム内で異なるサービングセル上でPUSCHを同時に送信するに送信パワーの総和がPCMAXよりも大きくなる可能性があるという問題を解決することができる。
【実施例３】
【０１１８】
本発明の実施例は上りチャネルのパワー制御方法を提供し、それは、少なくとも二つのセルと接続を維持するユーザ装置側に用いられる。本実施例では、少なくとも二つのセルに対してのPUCCH及びPUSCHを例として説明し、実施例1又は2と同じ内容は省略される。
【０１１９】
そのうち、PUSCH及びPUCCHを搬送する二つのセルは、異なる基地局下での同じ類型／索引番号のセルであってもよく、例えば、それぞれ、マクロ基地局下でのプライマリーセルがPUCCHを搬送し、スモール基地局下でのプライマリーセルがPUSCHを搬送し、又は、マクロ基地局下でのプライマリーセルがPUSCHを搬送し、スモール基地局下でのプライマリーセルがPUCCHを搬送しても良く；或いは、異なる基地局下での異なる類型／索引番号のセルであっても良く、例えば、それぞれ、マクロ基地局下でのプライマリーセルがPUCCHを搬送し、スモール基地局下でのセカンダリーセルがPUSCHを搬送し、又は、マクロ基地局下でのセカンダリーセルがPUSCHを搬送し、スモール基地局下でのプライマリーセルがPUCCHを搬送しても良く；或いは、同一eNB下での異なる類型／索引番号のセルであっても良く。本発明はこれに限定されない。
【０１２０】
本実施例では、ユーザ装置がPUSCH及びPUCCHの同一又は異なるキャリア上での同時送信をサポート可能であり、且つ同一又は異なるキャリア上での送信を区分しないとする。即ち、「同一キャリア上でのPUSCH及びPUCCHの同時送信のみをサポートし、異なるキャリア上でのPUSCH及びPUCCHの送信をサポートしない」ことは存在せず；或いは、「異なるキャリア上でのPUSCH及びPUCCHの送信のみをサポートし、同一キャリア上でPUSCH及びPUCCHの同時送信をサポートしない」ことは存在しない。この種の構成下で、PUCCH及びPUSCHを同時に送信する場合、次のような組み合わせ（2つのセルを例とし）がある。
【０１２１】
（1）セル1に対しては、PUCCHがあるが、PUSCHがなく；セル2に対しては、PUCCHがあるが、PUSCHがない。なお、このような場合は、既に実施例1に説明されている。
【０１２２】
（2）セル1に対しては、PUCCHがあるが、PUSCHがなく；セル2に対しては、PUCCH及びPUSCHがある。なお、セル1及びセル2上で搬送されるPUCCHに対して比較を行う場合は、既に実施例1に説明されている。ここでは、セル1上でのPUCCHと、セル2上でのPUSCHとの関係のみを説明する。例えば、次のようにさらに分けることができ、即ち、セル1のPUCCHがACK／NACKを搬送し、セル2のPUSCHが周期性／非周期性CSIを搬送し；セル1のPUCCHがSRを搬送し、セル2のPUSCHが周期性／非周期性CSIを搬送し；セル1のPUCCHが周期性CSIを搬送し、セル2のPUSCHが周期性／非周期性CSIを搬送する。
【０１２３】
（3）セル1に対しては、PUCCH及びPUSCHがあり；セル2に対しては、PUCCH及びPUSCHがある。なお、セル1及びセル2上で搬送されるPUCCHに対して比較を行う場合は、既に実施例1に説明されており、また、セル1及びセル2上で搬送されるPUSCHに対して比較を行う場合は、既に実施例2に説明されている。
【０１２４】
セル1上でのPUCCH及びセル2上でのPUSCHの関係は、上述（2）中の「セル1がPUCCHを有するが、PUSCHを有せず、セル2がPUCCH及びPUSCHを有する」時のセル1上でのPUCCH及びセル2上でのPUSCHの関係と同じである。以下、この二つの場合について説明する。
【０１２５】
本実施例では、少なくとも二つのセルの上りチャネルは、一つのセルに対してのPUCCH及びもう一つのセルに対してのPUSCHを含み；また、少なくとも二つのセルの上りチャネルに対しての優先順位の確定は、具体的に、上りチャネルが含むUCIの類型、少なくとも二つのセルの類型又は索引番号、及び上りチャネルの類型のうちの一つ又は組み合わせに基づいて、上りチャネルの優先順位を確定することを含む。
【０１２６】
一つの実施方式では、ユーザ装置が同一サブフレーム内で、一つのサービングセル上でPUCCH信号を送信し、もう一つのサービングセル上でPUSCH信号を送信する必要がある時に、PUCCH又はPUSCHが搬送するUCIの類型に基づいてパワー割り当ての優先順位を確定しても良い。
【０１２７】
具体的には、優先順位の確定は、次のような条件のうちの一つ又は組み合わせを採用しても良く、即ち、ACK／NACKを含む上りチャネルの優先順位は、周期性CSIを含む上りチャネルの優先順位よりも高く；SRを含む上りチャネルの優先順位は、周期性CSIを含む上りチャネルの優先順位よりも高く；ACK／NACKを含む上りチャネルの優先順は、SRを含む上りチャネルの優先順位よりも高く；SRを含む上りチャネルの優先順位は、非周期性CSIを含む上りチャネルの優先順位よりも高く；非周期性CSIを含む上りチャネルの優先順位は、周期性CSIを含む上りチャネルの優先順位よりも高い。
【０１２８】
また、該方法は更に、異なる類型の周期性CSIを含む上りチャネルに対しての優先順位の確定を含み、なお、具体的に如何にソーティングを行うかは、実施例1を参照することができる。或いは、異なる類型の非周期性CSIを含む上りチャネルに対して優先順位の確定を行っても良く、なお、具体的に如何にソーティングを行うかは、実施例2を参照することができる。
【０１２９】
また、周期性CSIを含む上りチャネル優先順位が同じである時に、CSI  ProcessのIDの大小に基づいて優先順位をさらに確定しても良い。或いは、非周期性CSIを含む上りチャネルの優先順位が同じである時に、CSI  ProcessのIDの大小に基づいて優先順位をさらに確定しても良い。
【０１３０】
本実施方式では、上りチャネルが２種類又は２種類以上のUCIを含む時に、２種類又は２種類以上のUCIの優先順位に基づいて上りチャネルの優先順位をさらに確定しても良い。
【０１３１】
具体的には、一つのPUCCH中で一種類以上の類型の上り制御信号を搬送する場合、PUCCH／PUSCHの優先順位を比較する時に、先ず、PUCCH中の最高優先順位のUCIに基づいて比較を行っても良く、最高優先順位のUCIの優先順位が同じであれば、次に、PUCCH中の二番目に高い優先順位のUCIに基づいて比較を行っても良く；これに基づいて類推することができる。
【０１３２】
例えば、一つのセル1上でのPUCCHがACK／NACK及び周期性CSIを搬送し、もう一つのセル2上でのPUSCHが非周期CSIを搬送する場合、セル1上での優先順位最高のACK／NACKの優先順位がセル2上での非周期CSIの優先順位より高いので、セル1上でのPUCCHの優先順位がセル2上でのPUSCHの優先順位よりも高いと判断することができる。
【０１３３】
もう一つの実施方式では、ユーザ装置が同一サブフレーム内で、一つのサービングセル上でPUCCH信号を送信し、もう一つのサービングセル上でPUSCH信号を送信する必要がある時に、少なくとも二つのセルの類型又は索引番号に基づいて、パワー割り当ての優先順位を確定しても良い。
【０１３４】
具体的には、優先順位の確定は、次のような条件のうちの一つ又は組み合わせを採用しても良く、即ち、プライマリーセルに対しての上りチャネルの優先順位は、セカンダリーセルに対しての上りチャネルの優先順位よりも高く；マクロセルに対しての上りチャネルの優先順位は、スモールに対しての上りチャネルの優先順位よりも高く；索引番号が小さいセルに対しての上りチャネルの優先順位は、対索引番号が大きいセルに対しての上りチャネルの優先順位よりも高い。
【０１３５】
もう一つの実施方式では、ユーザ装置が同一サブフレーム内で、一つのサービングセル上でPUCCH信号を送信し、もう一つのサービングセル上でPUSCH信号を送信する必要がある時に、上りチャネルの類型に基づいてパワー割り当ての優先順位を確定しても良い。
【０１３６】
具体的には、PUCCHの優先順位は、PUSCHの優先順位よりも高くても良い。
【０１３７】
もう一つの実施方式では、ユーザ装置が同一サブフレーム内で、一つのサービングセル上でPUCCH信号を送信し、もう一つのサービングセル上でPUSCH信号を送信する必要がある時に、PUCCH又はPUSCHが搬送するUCIの類型及び少なくとも二つのセルの類型又は索引番号に基づいて、パワー割り当ての優先順位を共同確定しても良い。
【０１３８】
もう一つの実施方式では、ユーザ装置が同一サブフレーム内で、一つのサービングセル上でPUCCH信号を送信し、もう一つのサービングセル上でPUSCH信号を送信する必要がある時に、PUCCH又はPUSCHが搬送するUCIの類型及び上りチャネルの類型に基づいて、パワー割り当ての優先順位を共同確定しても良い。
【０１３９】
もう一つの実施方式では、ユーザ装置が同一サブフレーム内で、一つのサービングセル上でPUCCH信号を送信し、もう一つのサービングセル上でPUSCH信号を送信する必要がある時に、上りチャネルの類型及び少なくとも二つのセルの類型又は索引番号に基づいて、パワー割り当ての優先順位を共同確定しても良い。
【０１４０】
もう一つの実施方式では、ユーザ装置が同一サブフレーム内で、一つのサービングセル上でPUCCH信号を送信し、もう一つのサービングセル上でPUSCH信号を送信する必要がある時に、PUCCH又はPUSCHが搬送するUCIの類型、上りチャネルの類型及び少なくとも二つのセルの類型又は索引番号に基づいて、パワー割り当ての優先順位を共同確定しても良い。
【０１４１】
以上、少なくとも二つのセルのPUCCH／PUSCHに対して如何に優先順位の確定を行うかのみを説明したが、本発明はこれに限定されず、実際の状況に応じて、具体的な優先順位の確定方式を採用しても良い。上述の優先順位の確定を行った後に、複数のPUCCH／PUSCHが同じ優先順位を有する場合は存在する。以下、ユーザ装置の送信パワーが制限される場合、優先順位確定後のPUCCH／PUSCHに対して如何に送信パワーを分配するかを説明する。
【０１４２】
一つの実施方式では、優先順位の確定結果に基づいて、少なくとも二つのセルの上りチャネルに対してパワー割り当てを行い、具体的には、優先順位が高い一つ又は複数の上りチャネルにパワーを割り当て、そして、残りのパワーがある場合、該残りのパワーを、優先順位が比較的低い一つ又は複数の上りチャネルに割り当てる。
【０１４３】
具体的には、ユーザ装置が同一サブフレーム内で、一つ又は複数のサービングセル上でPUCCHを送信し、他の一つ又は複数のサービングセル上でPUSCHを送信する必要があり、且つ、ユーザ装置の送信パワーがPCMAX
（外１５）
2016530807.tif 000039
を超える可能性があると確定した場合、前記サブフレーム内でPUSCH信号及びPUCCH信号に対してパワー割り当てを行うことができる。
【０１４４】
所定の優先順位に基づいて、各セル上でのPUSCH／PUCCHに対してソーティングを行う。優先順位が高い上りチャネルのために優先的にパワーを割り当て、また、優先順位が比較的低い信号の送信パワーを下げることで、優先順位が比較的高い信号の送信を保証することができる。以下の説明では、残りの送信パワーとは、端末装置のPCMAXから、既に分配された送信パワーを引いた後に残った送信パワーを指す。
【０１４５】
即ち、優先順位最高のPUCCHは、式（3）に基づいて計算することができ、又は、優先順位最高のPUSCHは、式（1）に基づいて計算することができる。優先順位が同じであるPUSCH／PUCCHが複数ある場合、同じ優先順位のものは、同じパワー割り当ての重みを採用する。優先順位が二番目に高いものは、優先順位が高い上りチャネルにパワーを割り当てた後に、残りの送信パワーが依然として0よりも大きい場合、該残りの送信パワーを、優先順位が二番目に高い上りチャネルに割り当てる。
【０１４６】
例えば、先ず、優先順位最高の上りチャネルがフルパワーで送信する時にユーザ装置のPCMAXを超えないかどうかを判断し；超えた場合、優先順位最高の全ての上りチャネルに対して均等パワー割り当てを行い、他の優先順位が低い上りチャネルを送信せず；超えない場合、優先順位最高の上りチャネルのフルパワー送信を保証する。残りのパワーがあれば、優先順位が二番目に高い全ての上りチャネルがフルパワーで送信する時にユーザ装置のPCMAXを超えないかどうかを判断してもよく；超えた場合、二番目に高い優先順位の全ての上りチャネルに対して均等パワー割り当てを行い、他の低い優先順位の上りチャネルを送信せず；超えない場合、二番目に高い優先順位の上りチャネルのフルパワー送信を保証する。残りのパワーがまだあるときに、続いて三番目に高い優先順位の上りチャネルにパワーを割り当てる。これに基づいて類推することができる。
【０１４７】
もう一つの実施方式では、優先順位の確定結果に基づいて、少なくとも二つのセルの上りチャネルに対してパワー割り当てを行い、具体的には、優先順位の確定結果に基づいて、上りチャネルの送信パワーに重みを付け、そして、重みに基づいて、各上りチャネルに対してパワー割り当てを行っても良い。
【０１４８】
具体的には、各種優先順位の上りチャネルの全てに対してパワー割り当てを行っても良く、優先順位が高い上りチャネルに比較的に高いパワーを与え、優先順位が低い上りチャネルに比較的に低いパワーを与える。
【０１４９】
上述の方法により、同一サブフレーム内で異なるサービングセル上でPUSCH及びPUCCHを同時に送信する必要がある時に、複数のPUSCH／PUCCHに対してパワー割り当てを行い、端末装置の送信パワーを下げることで、同一サブフレーム内で異なるサービングセル上でPUSCH及びPUCCHを同時に送信する時に送信パワーの総和がPCMAXよりも大きくなる可能性があるという問題を解決することができる。
【実施例４】
【０１５０】
実施例1、2、3をもとに、本発明の実施例は、上りチャネルのパワー制御方法について更に説明する。本実施例では、実施例1、2、3をジョイントして用いても良い。そのうちの二つの実施例の実施方式を行っても良く、又は、全ての三つの実施例の実施方式を行っても良い。
【０１５１】
例えば、実施例1及び実施例3を組み合わせても良い。セル1上でPUCCH1及びUCI有りのPUSCH（PUSCH1  with  UCI）を送信し、セル2上でPUCCH2を送信する場合、それぞれ、PUCCH1及びPUCCH2の比較、及び、PUCCH2及びPUSCH1の比較を行う必要がある。仮に、PUCCH1がACK／NACKを搬送し、PUSCH1が非周期CSIを搬送し、PUCCH2が周期CSIを搬送するとすれば、実施例1及び実施例3の方式に従って、優先的にPUCCH1にパワーを割り当てても良く、残りのパワーがあれば、PUSCH1に割り当ても良く；また、残りのパワーがさらにあれば、PUCCH2に割り当てても良い。
【０１５２】
また、例えば、実施例1、実施例2及び実施例3を組み合わせても良い。セル1上でPUCCH1及びPUSCH1  with  UCIを送信し、セル2上でPUCCH2及びPUSCH2  with  UCIを送信する場合、それぞれ、PUCCH1及びPUCCH2の比較、PUCCH1及びPUSCH2の比較、PUCCH2及びPUSCH1の比較、PUSCH1及びPUSCH2の比較を行う必要がある。仮に、PUCCH1がACK／NACKを搬送し、PUSCH1が非周期CSIを搬送し、PUCCH2がACK／NACKを搬送し、PUSCH2が周期CSIを搬送するとすれば、実施例1、実施例2及び実施例3の方式に基づいて、PUCCH1及びPUCCH2は同じく最高優先順位（セル類型でなく、UCI類型のみに基づいてソーティングを行う）を有し、その次はPUSCH1であり、最も低いのはPUSCH2である。この場合、優先的にPUCCH1及びPUCCH2にパワー（全ては下がることがない）を割り当てても良く；残りのパワーがあれば、PUSCH1に分配されても良く；残りのパワーがさらにあれば、PUSCH2に割り当てられてもよい。
【０１５３】
また、例えば、実施例1及び実施例2中の案のみが有効であり、実施例3中の案を考慮しないとする。即ち、PUSCH及びPUCCHの比較時に、従来技術のみに従って、PUCCHの優先順位が、UCIを搬送するPUSCHの優先順位よりも高く、UCIを搬送するPUSCHの優先順位が、UCIを搬送しないPUSCHの優先順位よりも高いとする。この場合、セル1上でPUCCH1（ACK／NACKを含む）及びPUSCH1  with  UCI（非周期性CSIを含む）を送信し、セル2上でPUCCH2（周期性CSIを含む）を送信すれば、PUCCH1の優先順位は最も高く、その次はPUCCH2であり、PUSCH1の優先順位が最も低い。
【０１５４】
また、ユーザ装置が異なるキャリア上でPUCCH及びPUSCHを同時に送信することができ、同一キャリア上でPUCCH及びPUSCHを同時に送信することができない場合、異なるキャリア上でのPUSCH及びPUCCHの優先順位は、UCIの類型に基づいてソーティングすることができ、又は、セル／キャリア順番号に基づいてソーティングすることができ、又は、上りチャネル類型に基づいてソーティングすることができる。そのうち、異なる類型の上りチャネルのソーティングは、
・ACK／NACKを含む上りチャネル＞SRを含む上りチャネル＞CSIを含む上りチャネル
・非周期CSIを含む上りチャネル＞周期性CSIを含む上りチャネル
・周期性CSIの異なる類型の報告を含む上りチャネルについては、ソーティングしても良く、ソーティングしなくても良い
とのようにすることができる。
【０１５５】
なお、具体的なパワー割り当て方法は、実施例1〜3と同じであるため、ここでは詳しい説明を省略する。
【０１５６】
上述の方法により、同一サブフレーム内で異なるサービングセル上でPUSCH／PUCCHを同時に送信する必要がある時に、複数のPUSCH／PUCCHに対してパワー割り当てを行い、端末装置の送信パワーを下げることで、同一サブフレーム内で異なるサービングセル上でPUSCH／PUCCHを同時に送信する時に送信パワーの総和がPCMAXよりも大きくなる可能性があるという問題を解決することができる。
【実施例５】
【０１５７】
本発明の実施例はユーザ装置を提供し、それは、少なくとも二つのセルと接続を維持する。本発明の実施例は実施例1〜実施例4に記載の上りチャネルのパワー制御方法に対応し、実施例1〜4と同じ内容は省略される。
【０１５８】
図9は、本発明の実施例によるユーザ装置の構成図であり、図9に示すように、ユーザ装置900は、優先順位確定ユニット901及びパワー制御ユニット902を含む。なお、ユーザ装置900の他の構成については、図面に示されておらず、従来技術を参照することができる。
【０１５９】
そのうち、優先順位確定ユニット901は、同一サブフレーム内で少なくとも二つのセルに対して上り制御情報を含む上りチャネル信号を送信する時に、少なくとも二つのセルの上りチャネルに対して優先順位を確定し；パワー制御ユニット902は、優先順位の確定結果に基づいて、少なくとも二つのセルの上りチャネルに対して、パワー割り当てを行い、又は、上りチャネル選択を行う。
【０１６０】
具体的な実施に当たって、ユーザ装置900は更に、受信した下り信号に基づいてACK／NACKフィードバックを生成することができ；或いは、周期性CSIによる周期及びオフセット、受信した非周期CSIトリガー指示、又は、上りサービスに必要なリソース要求に基づいて、対応する上り制御情報を生成することもできる。
【０１６１】
ユーザ装置900は更に、上りチャネルに対してのパワー割り当ての結果、又は、上りチャネルに対して選択の結果に基づいて、上りチャネル信号を送信することができる。なお、UCIの生成及び上りチャネルの送信などの具体的な内容については、従来技術を参照することができる。
【０１６２】
一つの実施方式では、少なくとも二つのセルの上りチャネルは、一つのセルに対してのPUCCH及びもう一つのセルに対してのPUCCHを含み；優先順位確定ユニット901は、具体的に、PUCCHに含まれているUCIの類型、及び／又は、少なくとも二つのセルの類型又は索引番号に基づいて、PUCCHの優先順位を確定することができる。
【０１６３】
パワー制御ユニット902は、具体的に、優先順位が高い一つ又は複数のPUCCHにパワーを割り当て、そして、残りのパワーがある場合、該残りのパワーを、優先順位が比較的低い一つ又は複数のPUCCHに割り当て；或いは、優先順位の結果に基づいて、PUCCHの送信パワーに重みを付け、そして、重みに基づいて各PUCCHに対してパワー割り当てを行い；或いは、優先順位が最も高い一つのPUCCHにパワーを割り当て、他のPUCCHを捨てるように構成されても良い。
【０１６４】
もう一つの実施方式では、少なくとも二つのセルの上りチャネルは、一つのセルに対してのPUCCH及びもう一つのセルに対してのPDSCHを含み；優先順位確定ユニット901は、具体的に、上りチャネルが含むUCIの類型、少なくとも二つのセルの類型又は索引番号、及び上りチャネルの類型のうちの一つ又は組み合わせに基づいて、上りチャネルの優先順位を確定することができる。
【０１６５】
パワー制御ユニット902は、具体的に、優先順位が高い一つ又は複数の上りチャネルにパワーを分配し、そして、残りのパワーがある場合、該残りのパワーを、優先順位が比較的低い一つ又は複数の上りチャネルに割り当て；或いは、優先順位の確定結果に基づいて、上りチャネルの送信パワーに重みを付け、そして、該重みに基づいて各上りチャネルに対してパワー割り当てを行うように構成されても良い。
【０１６６】
もう一つの実施方式では、少なくとも二つのセルの上りチャネルは、一つのセルに対してのPDSCH及びもう一つのセルに対してのPDSCHを含み；優先順位確定ユニット901は、具体的に、PDSCHが含むUCIの類型、及び／又は、少なくとも二つのセルの類型又は索引番号に基づいて、PDSCHの優先順位を確定することができる。
【０１６７】
パワー制御ユニット902は、具体的に、優先順位が高い一つ又は複数のPDSCHにパワーを割り当て、また、残りのパワーがある場合、該残りのパワーを、優先順位が比較的低い一つ又は複数PDSCHに割り当て；或いは、優先順位の確定結果に基づいて、PDSCHの送信パワーに重みを付け、そして、該重みに基づいて各PDSCHに対してパワー割り当てを行うように構成される。
【０１６８】
本発明の実施例は更に通信システムを提供し、図10は、本発明の実施例による通信システムの構成図である。図10に示すように、通信システム1000は、第一基地局、第二基地局及びユーザ装置1001を含む。第一基地局又は第二基地局はマクロ基地局であっても良く、スモール基地局などであっても良く、本発明はこれに限定されない。
【０１６９】
そのうち、ユーザ装置1001は、第一基地局及び第二基地局が形成した少なくとも二つのセルと接続を維持し；同一サブフレーム内で少なくとも二つのセルに対してUCI有りの上りチャネル信号を送信する時に、少なくとも二つのセルの上りチャネルに対して優先順位の確定を行い；及び、優先順位の確定結果に基づいて、少なくとも二つのセルの上りチャネルに対して、パワー割り当てを行い、又は、上りチャネル選択を行う。
【０１７０】
本発明の実施例は更にコンピュータ可読プログラムを提供し、そのうち、ユーザ装置中で前記プログラムを実行する時に、前記プログラムは、コンピュータに、前記ユーザ装置中で上記実施例1〜4に記載の上りチャネルのパワー制御方法を実行させる。
【０１７１】
本発明の実施例は更に、コンピュータ可読プログラムを記憶した記憶媒体を提供し、そのうち、前記コンピュータ可読プログラムは、コンピュータに、基地局中で上述の実施例1〜4に記載の上りチャネルのパワー制御方法を実行させる。
【０１７２】
本発明の以上の装置及び方法は、ハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構成部品を実現させ、又は、該ロジック部品に、上述の各種の方法又はステップを実現させる。本発明は更に、上述のプログラムを記憶した記憶媒体、例えば、ハードディスク、磁気ディスク、光ハードディスク、DVD、flashメモリなどにも関する。
【０１７３】
また、図面に記載の機能ブロックのうちの一つ又は複数及び／又はその機能ブロックの一つ又は複数の組み合わせは、本発明に記載の前記機能を実行するための汎用処理装置、デジタル信号処理装置（DSP）、専用集積バックホール（ASIC）、FPGA（field-programmable  gate  array）又は他のプログラマブル論理素子、論理ゲート又はトランジスタ論理素子、ハードウェアアセンブリ又は他の任意の適切な組み合わせとして実現されても良い。また、図面に記載の機能ブロックのうちの一つ又は複数及び／又はその機能ブロックの一つ又は複数の組み合わせは、計算装置の組み合わせ、例えば、DSPとマイクロプロセッサーとの組み合わせ、複数のマイクロプロセッサー、DSPと通信可能に接続される一つ又は複数のマイクロプロセッサー又は任意の他の構成として実現されても良い。
【０１７４】
以上、本発明の好ましい実施形態を説明したが、本発明はこのような実施形態に限定されず、本発明の趣旨を離脱しない限り、本発明に対するあらゆる変更は本発明の技術的範囲に属する。
【図１】
2016530807.tif 000040
【図２】
2016530807.tif 000041
【図３】
2016530807.tif 000042
【図４】
2016530807.tif 000043
【図５】
2016530807.tif 000044
【図６】
2016530807.tif 000045
【図７】
2016530807.tif 000046
【図８】
2016530807.tif 000047
【図９】
2016530807.tif 000048
【図１０】
2016530807.tif 000049
【手続補正書】
【提出日】平成28年6月23日(2016.6.23)
【手続補正１】
【補正対象書類名】明細書
【補正対象項目名】全文
【補正方法】変更
【補正の内容】
【発明の詳細な説明】
【技術分野】
【０００１】
本発明は、通信分野に関し、特に、ユーザ装置のパワー制限下での上りチャネルのパワー制御方法、ユーザ装置（UE、User  Equipment）及び通信システムに関する。
【背景技術】
【０００２】
LTE（Long  Term  Evolution）システムでは、ユーザ装置がPUSCH（Physical  Uplink  Share  Channel）、PUCCH（Physical  Uplink  Control  Channel）、SRS（Sounding  Reference  Signal）及びPRACH（Physical  Random  Access  Channel）を送信する時のパワー制御方法が定義されている。ユーザが複数のキャリア（carrier）を構成した時に、各サービングセル上で独立した上り送信信号のパワー制御を行う。
【０００３】
そのうち、
PUSCH及びPUCCHを同時に伝送することができない時に、PUSCHのパワー制御公式は、
【数１】
2016530807.tif 000050
であり；
【０００４】
PUSCH及びPUCCHを同時に伝送することができる時に、PUSCHのパワー制御公式は、
【数２】
2016530807.tif 000051
であり、PUCCHのパワー制御公式は、
【数３】
2016530807.tif 000052
である。
【０００５】
LTEシステムでは、ユーザ装置がPUSCH及びPUCCHを同時に伝送することができないように構成されれば、同一ユーザ装置は、同一サブフレーム中で一つ又は複数のキャリア上でPUSCH及びPUCCHを同時に送信することができない。ユーザが同時にPUSCH及びPUCCHを伝送することができるように構成されれば、同一ユーザ装置は、同一サブフレーム中で同時に一つ又は複数のキャリア上でPUSCH及びPUCCHを送信することができる。しかし、PUCCHは、プライマリーコンポーネントキャリア（PCC、Primary  Component  Carrier）のみ上で伝送される。PUSCHが搬送（Ｃａｒｒｙ）する上り制御情報（UCI、Uplink  Control  Information）は、対応する全てのキャリアの上り制御情報を含み、且つ、これらの上り情報は、一つのみのキャリア上でのPUSCH内で伝送され得る。言い換えると、対応する全てのキャリアの上り制御情報は、合併され、或いは、所定のルールに従って一部が捨てられるしかなく、最終的には一つのみのCC上でPUCCH及び／又はPUSCHにて伝送され得る。
【０００６】
上り信号の送信パワーがユーザ装置のPCMAX（Configured  Maximum  Output  Power）を超えた後に、即ち、ユーザ装置の出力パワーのオーバーフローが発生した時に、ユーザ装置が上述の上り信号を送信する時に使用する送信パワーは、ユーザ装置のPCMAXに等しい。ユーザ装置は、対応する上りチャネルに対してパワー調整を行う必要がある。
【０００７】
図1は、LTE-Aシステム中でのユーザ装置が同一サブフレーム中で異なるセル上で同時に複数のPUCCHを送信することを示す図である。図2は、LTE-Aシステム中でのユーザ装置が同一サブフレーム中で異なるセル上で同時に複数のPUSCHを送信することを示す図である。図3は、LTE-Aシステム中でのユーザ装置が同一サブフレーム中で異なるセル上で同時にPUSCH及びPUCCHを送信することを示す図である。図4は、LTE-Aシステム中でのユーザ装置が同一サブフレーム内でプライマリーサービングセル上で同時にPUSCH及びPUCCHを送信することを示す図である。
【０００８】
図1に示すように、キャリアアグリゲーション技術を採用しているため、ユーザ装置が複数のサービングセルを構成した後に、同一サブフレーム中で異なるサービングセル上で同時に複数のPUCCHを送信することが出現し；又は、図2に示すように、異なるサービングセル上で同時に複数のPUSCHを送信することが出現し；又は、図3に示すように、同時にPUSCH及びPUCCHを送信することが出現する可能性がある。一方、ユーザ装置の能力が強化されているため、図4に示すように、ユーザ装置は、プライマリーサービングセル（Primary  Serving  Cell）上で同一サブフレーム中で同時にPUSCH及びPUCCHを送信することができる。
【０００９】
上述のようなことが出現した場合、即ち、同一サブフレーム内でユーザ装置が同時に複数のPUSCHを送信する必要があり、又は、ユーザ装置が同時にPUSCH及びPUCCHを送信する必要がある時に、複数のPUSCHの送信パワーの総和はユーザ装置のPCMAXよりも大きく、又は、PUSCH及びPUCCHの送信パワーの総和はユーザ装置のPCMAXより大きくなる可能性がある。このような場合におけるユーザ装置の送信パワーの割り当てを行うために、LTE-Aの標準では、ユーザ装置の送信パワー制限下でのパワー制御方法が定義されている。具体的には次の通りである。
【００１０】
UCI無しの複数のPUSCHのみを同時に送信する必要がある場合、この時に得られたトータルな送信パワーがユーザ装置のPCMAXを超えれば、ユーザ装置は、各PUSCH上で送信パワーを、トータルな送信パワーがユーザ装置のPCMAX以下になるまで、均等に下げる。
【００１１】
UCI無しのPUSCH及びPUCCHを同時に送信する必要がある場合、この時に得られたトータルな送信パワーがユーザ装置のPCMAXを超えれば、ユーザ装置は、先ず、PUCCHの送信パワーを満足するように保証し、その後、UCI無しの各PUSCH上で送信パワーを、トータルな送信パワーがユーザ装置のPCMAX以下になるまで、均等に下げる。次の公式（4）に示すようである。
【００１２】
例えば、UCI無しのPUSCH及びPUCCHを同時に伝送する時に、PUCCHチャネルの送信パワーを優先的に保証する。
【数４】
2016530807.tif 000053
【００１３】
UCI無しのPUSCH及びUCI有りのPUSCHを同時に送信する必要がある場合、この時に得られたトータルな送信パワーがユーザ装置のPCMAXを超えれば、ユーザ装置は、先ず、UCI有りのPUSCHの送信パワーを満足するように保証し、その後、UCI無しの各PUSCH上で送信パワーを、トータルな送信パワーがユーザ装置のPCMAX以下になるまで、均等に下げる。次の公式（5）に示すようである。
【００１４】
例えば、UCI有りのPUSCH及びUCI無しのPUSCHを同時に伝送する時に、UCI有りのPUSCHの送信パワーを優先的に保証する。
【数５】
2016530807.tif 000054
【００１５】
PUCCH、UCI無しのPUSCH及びUCI有りのPUSCHを同時に送信する必要がある場合、この時に得られたトータルな送信パワーがユーザ装置のPCMAXを超えれば、ユーザ装置は、先ず、PUCCHの送信パワーを満足するように保証し、次に、UCI有りのPUSCHの送信パワーを満足するように保証し、その後、UCI無しの各PUSCH上で送信パワーを、トータルな送信パワーがユーザ装置のPCMAX以下になるまで、均等に下げる。次の公式（6）に示すようである。
【００１６】
例えば、PUCCH、UCIを含む（即ち、UCI有り）PUSCH及びUCIを含まない（即ち、UCI無し）PUSCHを同時に伝送する時に、PUCCHを優先的に保証し、次にUCI有りのPUSCHを保証し、最後にUCI無しのPUSCHを保証する。
【数６】
2016530807.tif 000055
【００１７】
しかし、発明者は、従来の標準では、一つのサービングセルに対しての上りチャネルのパワー制御、又は、マルチキャリア技術下でのプライマリーサービングセル及びセカンダリーサービングセル（Secondary  Serving  Cell）が送信する上りチャネルのパワー制御だけが定義されていることを発見した。
【００１８】
ところが、スモール基地局（該スモール基地局はスモールセルを形成することができる）の絶えない発展に伴い、Rel-12では、一つのマクロ基地局（例えば、eNBであり、該マクロ基地局はマクロセルを形成することができる）のカバレッジ内において複数のスモール基地局があるというシナリオが出現する見込みがある。各スモール基地局は、カバーする面積が比較的小さく、数量が比較的多い。また、スモール基地局は、マクロ基地局と異なる周波数点を占用しても良く、同じ周波数点を占用しても良い。スモール基地局とマクロ基地局との間のバックホール（Backhaul）は、理想的なものであっても良く、即ち、時間遅延がとても小さく又は完全に無視されても良く、且つ伝送能力が強い。しかしながら、より一般的には非理想的なものであり、即ち、伝送の時間遅延が比較的大きく、且つ伝送能力が限られている。従来の標準では、これらのシナリオ下でのユーザ装置の上りチャネルのパワー制御が未だ考慮されていない。
【００１９】
なお、上述の背景技術についての紹介は、本発明の技術案を明確且つ完全に説明し、当業者がそれを理解しやすいためのものである。これらの案は、本発明の背景技術の一部に記述されているため、当業者にとって周知であると解釈すべきではない。
【発明の概要】
【発明が解決しようとする課題】
【００２０】
本発明の実施例は、上りチャネルのパワー制御方法、ユーザ装置及び通信システムを提供し、目的は、少なくとも二つのセルとの接続を維持するユーザ装置について、上りチャネルの送信パワーの制御を行えることにある。
【課題を解決するための手段】
【００２１】
本発明の実施例の一側面によれば、上りチャネルのパワー制御方法が提供され、少なくとも二つのセルと接続を維持するユーザ装置に用いられ、前記方法は、
ユーザ装置が、同一サブフレーム内で前記少なくとも二つのセルに対して上り制御情報を含む上りリンク信号を送信する時に、前記少なくとも二つのセルの前記上りチャネルの優先順位を確定（ソーティングとも言う）し；及び
前記優先順位の確定結果に基づいて、前記少なくとも二つのセルの前記上りチャネルに対して、パワー割り当てを行い、又は、上りチャネル選択を行うことを含む。
【００２２】
本発明の実施例の他の側面によれば、ユーザ装置が提供され、少なくとも二つのセルと接続を維持し、前記ユーザ装置は、
同一サブフレーム内で前記少なくとも二つのセルに対して上り制御情報を含む上りリンク信号を送信する時に、前記少なくとも二つのセルの前記上りチャネルの優先順位を確定するための優先順位確定ユニット；及び
前記優先順位の確定結果に基づいて、前記少なくとも二つのセルの前記上りチャネルに対して、パワー割り当てを行い、又は、上りチャネル選択を行うためのパワー制御ユニットを含む。
【００２３】
本発明の実施例の他の側面によれば、通信システムが提供され、それは、
少なくとも二つのセルと接続を維持するユーザ装置を含み、
前記ユーザ装置は、同一サブフレーム内で前記少なくとも二つのセルに対して上り制御情報を含む上りリンク信号を送信する時に、前記少なくとも二つのセルの前記上りチャネルの優先順位を確定し、及び、前記優先順位の確定結果に基づいて、前記少なくとも二つのセルの前記上りチャネルに対して、パワー割り当てを行い、又は、上りチャネル選択を行う。
【００２４】
本発明の実施例の他の側面によれば、コンピュータ可読プログラムが提供され、そのうち、ユーザ装置中で前記プログラムを実行する時に、前記プログラムは、コンピュータに、前記ユーザ装置中で上述の上りチャネルのパワー制御方法を実行させる。
【００２５】
本発明の実施例の他の側面によれば、コンピュータ可読プログラムを記憶した記憶媒体が提供され、そのうち、前記コンピュータ可読プログラムは、コンピュータに、ユーザ装置中で上述の上りチャネルのパワー制御方法を実行させる。
【００２６】
本発明の実施例の有益な効果は、少なくとも二つのセルと接続を維持するユーザ装置が同一サブフレーム内で異なるサービングセル上でUCIを含む上りチャネルを同時に送信する時に送信パワーの総和がPCMAXよりも大きくなる可能性があるという問題を解決することができる。
【００２７】
後述の説明及び図面を参照することで、本発明の特定の実施形態を詳しく開示しており、本発明の原理を採用し得る態様を示している。なお、本発明の実施形態は、範囲上ではこれによって限定されない。添付した特許請求の範囲内であれば、本発明の実施形態は、様々な変更、修正及び代替によるものを含んでも良い。
【００２８】
また、１つの実施形態について説明した及び／又は示した特徴は、同じ又は類似した方式で１つ又は複数の他の実施形態に用い、他の実施形態中の特徴と組み合わせ、又は、他の実施形態中の特徴を置換することもできる。
【００２９】
なお、「含む／有する」のような用語は、本明細書に使用される時に、特徴、要素、ステップ、又は、アセンブルの存在を指すが、１つ又は複数の他の特徴、要素、ステップ、又は、アセンブリの存在又は付加を排除しないということも指す。
【図面の簡単な説明】
【００３０】
以下の図面を参照することで本発明の多くの側面をより良く理解することができる。なお、図面中の要素は、比例して描かれたものではなく、本発明の原理を示すためだけのものである。本発明の一部を便利に説明及び例示するために、図面中の対応する一部は、拡大又は縮小されることがある。
【００３１】
また、本発明の１つの図面又は実施方式に記載の要素及び特徴は、１つ又は複数の他の図面又は実施方式に示す要素及び特徴と組み合わせることができる。さらに、図面では、類似した符号は幾つかの図面中の対応する要素を示し、また、複数の実施方式に使用される対応する要素を示すために用いることもできる。
【図１】LTE-Aシステム中のユーザ装置が同一サブフレーム中で異なるセル上で複数のPUCCHを同時に送信することを示す図である。
【図２】LTE-Aシステム中のユーザ装置が同一サブフレーム中で異なるセル上で複数のPUSCHを同時に送信することを示す図である。
【図３】LTE-Aシステム中のユーザ装置が同一サブフレーム中で異なるセル上でPUSCH及びPUCCHを同時に送信することを示す図である。
【図４】LTE-Aシステム中のユーザ装置が同一サブフレーム中でプライマリーサービングセル上でPUSCH及びPUCCHを同時に送信することを示す図である。
【図５】ユーザ装置がマクロ基地局及びスモール基地局との接続を維持することを示す図である。
【図６】ユーザ装置がマクロ基地局及びスモール基地局との接続を維持することを示す他の図である。
【図７】ユーザ装置がマクロ基地局及びスモール基地局との接続を維持することを示す他の図である。
【図８】本発明の実施例によるパワー制御方法のフローチャートである。
【図９】本発明の実施例によるユーザ装置の構成図である。
【図１０】本発明の実施例による通信システムの構成図である。
【発明を実施するための形態】
【００３２】
添付した図面及び以下の説明を参照することにより、本発明の前述及び他の特徴は明らかになる。明細書及び図面では、本発明の特定の実施形態が開示され、それは、本発明の原理を採用し得る一部の実施形態を示す。理解すべきは、本発明は、記載されている実施形態に限定されず、添付した特許請求の範囲に属するすべての変更、変形及び代替によるものも含むということである。
【００３３】
図5は、ユーザ装置がマクロ基地局及びスモール基地局との接続を維持することを示す図である。図5に示すように、ユーザ装置は、マクロ基地局と周波数f1を採用して接続を維持し、スモール基地局と周波数f2を採用して接続を維持することができる。図6は、ユーザ装置がマクロ基地局及びスモール基地局と接続を維持することを示す他の図である。図6に示すように、ユーザ装置は、マクロ基地局と周波数f1を採用して接続を維持し、スモール基地局と同じ周波数f1を採用して接続を維持することもできる。図7は、ユーザ装置がマクロ基地局及びスモール基地局と接続を維持することを示す他の図である。図7に示すように、ユーザ装置は、マクロ基地局と周波数f1を採用して接続を維持し、一つのスモール基地局と周波数f2を採用して接続を維持し、また、もう一つのスモール基地局と同じ周波数f2を採用して接続を維持することができる。
【００３４】
図5〜図7に示すように、ユーザ装置は、一種の異なるeNB下でのキャリアアグリゲーション（inter-eNB）のようなシナリオ下でワーキングすることができる。スモール基地局及びマクロ基地局が異なるeNBに属し、且つバックホールが非理想的なものであるので、上り制御信号を各eNBの上りチャネル上で送信することはより適切である。そうすると、次のようなことが出現する可能性があり、即ち、スモールセル及びマクロセル上でPUCCHを同時に送信し；或いは、スモールセル上でUCIを含むPUSCHを送信し、マクロセル上でUCIを含むPUSCHも送信し、又は、スモールセル上でUCIを含むPUSCHを送信し、マクロセル上でPUCCHを送信し；或いは、スモールセル上でPUCCHを送信し、マクロセル上でUCIを含むPUSCHを送信し；或いは、スモールセル上でPUCCH及びUCIを含むPUSCHを送信し、マクロセル上でPUCCHのみを送信し；或いは、マクロセル上でPUCCH及びUCIを含むPUSCHを送信し、スモールセル上でPUCCHのみを送信し；或いは、スモールセル上でPUCCH及びUCIを含むPUSCHを送信し、マクロセル上でUCIを含むPUSCHのみを送信し；或いは、マクロセル上でPUCCH及びUCIを含むPUSCHを送信し、スモールセル上でUCIを含むPUSCHのみを送信し；或いは、スモールセル上でPUCCH及びUCIを含むPUSCHを送信し、マクロセル上でPUCCH及びUCIを含むPUSCHも送信することであり、なお、PUCCH、UCIを含むPUSCH及びUCIを含まないPUSCHの組み合わせの場合については、ここではその詳しい説明を省略する。
【００３５】
以上、ユーザ装置がマクロ基地局及びスモール基地局との接続を維持することのみについて例示に説明したが、本発明はこれに限定されない。以下、図5〜図7に示すシナリオのみを例として、本発明の実施例について詳細に説明する。
【実施例１】
【００３６】
本発明の実施例は上りチャネルのパワー制御方法を提供し、それは少なくとも二つのセルと接続を維持するユーザ装置側に用いられる。図8は本発明の実施例によるパワー制御方法のフローチャートである。図8に示すように、前記方法は次のステップを含む。
【００３７】
ステップ801：ユーザ装置が、同一サブフレーム内で少なくとも二つのセルに対してUCIを含む上りリンク信号を送信する時に、少なくとも二つのセルの上りチャネルに対して優先順位の確定（ソーティングともいう）を行い；
ステップ802：ユーザ装置が、優先順位の確定結果に基づいて、少なくとも二つのセルの上りチャネルに対して、パワー割り当てを行い、又は、上りチャネル選択を行う。
【００３８】
本実施例では、少なくとも二つのセルは、図5〜図7に示すように、マクロ基地局及びスモール基地局により形成されても良い。例えば、マクロ基地局（Macro  eNB）下での一つのマクロセル及びスモール基地局（Small  Cell  eNB）下での一つ又は複数のスモールであってもよく、一つの主導的な地位のプライマリーセル及び一つ又は複数の従属的な地位のセカンダリーセルであっても良く、又は、複数のスモールなどであっても良い。本発明はこれに限定されない。以下、二つのセルのみを例として説明を行うが、三つ以上のセルの場合も同様である。
【００３９】
本実施例では、少なくとも二つのセルの基地局の間は非理想的バックホール（Non-Ideal  Backhaul）を有しても良いが、本発明はこれに限定されない。なお、同一eNBに属し且つ理想的バックホールで接続される複数のセルについては、従来技術に従って処理しても良い。
【００４０】
本実施例では、同一サブフレーム内とは、サブフレーム順番号が同じであるサブフレームを指しても良いが、本発明はこれに限定されない。例えば、二つのセルが同期されない場合、同一サブフレーム内とは、サブフレーム順番号が同じであるものに限定されず、時間（次元）上で一つのサブフレームの長さと同じである期間であっても良い。
【００４１】
本実施例では、ステップ801の前に、ユーザ装置は、受信した下り信号に基づいて、ACK／NACKフィードバックを生成しても良く；或いは、周期性CSIによる周期及びオフセット、又は、受信した非周期性CSIトリガー指示、又は、上りサービスに必要なリソース要求に基づいて、対応する上り制御情報を生成しても良い。
【００４２】
ステップ802の後に、ユーザ装置は、上りチャネルに対してのパワー割り当ての結果に基づいて、又は、上りチャネルに対しての上りチャネル選択の結果に基づいて、上りリンク信号を送信しても良い。なお、UCIの生成及び上りチャネルの送信などの具体的な内容については、従来技術を参照することができる。
【００４３】
本実施例では、PUCCHを例とし、即ち、少なくとも二つのセルの上りチャネルは、一つセルに対してのPUCCH及びもう一つのセルに対してのPUCCHを含む。先ず、ユーザ装置が同一サブフレーム内で、一つのサービングセル上でPUCCHを送信し、他のサービングセル上でPUCCHも送信する必要があるかどうかを確定しても良い。
【００４４】
ステップ801では、少なくとも二つのセルの上りチャネルに対しての優先順位の確定は、具体的に、PUCCHが含むUCIの類型、及び／又は、少なくとも二つのセルの類型又は索引番号（Index）に基づいて、PUCCHの優先順位を確定することを含む。
【００４５】
一つの実施方式では、ユーザ装置が同一サブフレーム内で、一つのサービングセル上でPUCCH信号を送信し、もう一つのサービングセル上でPUCCH信号も送信する必要がある時に、PUCCHが搬送するUCIの類型に基づいて、パワー割り当ての優先順位を確定することができる。
【００４６】
そのうち、PUCCHが搬送するのは、ACK／NACKフィードバック、スケジュール要求（SR、Schedule  Request）又は周期性チャネル状態情報（CSI、Channel  State  Information）報告であっても良い。優先順位の確定は、次のような条件のうちの一つ又は組み合わせを採用しても良く、即ち、
条件1：ACK／NACKを含むPUCCHの優先順位は、周期性CSIを含むPUCCHの優先順位より高く；
条件2：SRを含むPUCCHの優先順位は、周期性CSIを含むPUCCHの優先順位より高く；
条件3：ACK／NACKを含むPUCCHの優先順位は、SRを含むPUCCHの優先順位より高い。
【００４７】
また、該方法は更に、
条件4：異なる類型の周期性CSIを含むPUCCHに対して優先順位の確定を行うということを含む。
【００４８】
そのうち、周期性CSI報告は、次のようなもののうちの一つ又は組み合わせであっても良く、即ち、
・Type  1：report  supports  CQI  feedback  for  the  UE  selected  sub-bands
・Type  1a：report  supports  subband  CQI  and  second  PMI  feedback
・Type  2、Type  2b及びType  2c：report  supports  wideband  CQI  and  PMI  feedback
・Type  2a：report  supports  wideband  PMI  feedback
・Type  3：report  supports  RI  feedback
・Type  4：report  supports  wideband  CQI
・Type  5：report  supports  RI  and  wideband  PMI  feedback
・Type  6：report  supports  RI  and  PTI  feedback
である。
【００４９】
そのうち、異なる類型の周期性CSI報告を含むPUCCHについては、
最も高い優先順位:Types  3、5、6、2a
二番目に高い優先順位:Types  2、2b、2c、4
三番目に高い優先順位:Types  1、1a
のように優先順位を確定しても良い。
【００５０】
また、周期性CSIを含むPUCCHの優先順位が同じである時に、CSI  ProcessのID（識別子）の大小（サイズ）に基づいて優先順位をさらに確定しても良い。例えば、CSI  Process  IDが小さいほど、優先順位が低い。
【００５１】
なお、上述の条件は、単独で使用しても良く、そのうちの幾つかを組み合せて使用しても良く、又は、全てを使用しても良く、本発明はこれに限定されない。
【００５２】
本実施例では、PUCCHが２種類又は２種類以上のUCIを含む時に、２種類又は２種類以上のUCIの優先順位に従って、該PUCCHの優先順位を確定しても良い。
【００５３】
具体的には、一つのPUCCH中で１種類以上の類型のUCIを搬送する場合、複数のPUCCHの優先順位を比較する時に、先ず、各PUCCH中の最高優先順位のUCIに基づいて比較を行い；最高優先順位のUCIの優先順位が同じであれば、各PUCCH中の二番目に高い優先順位のUCIに基づいて比較を行い；これに基づいて類推することができる。
【００５４】
例えば、一つのセル1上でのPUCCHがACK／NACK及び周期性CSIを搬送し、もう一つのセル2上でのPUCCHがSRを搬送する場合、セル1上での優先順位最高のACK／NACKの優先順位が、セル2上での優先順位最高のSRの優先順位よりも高いので、セル1上でのPUCCHの優先順位がセル2上でのPUCCHの優先順位よりも高いと判断することができる。
【００５５】
もう一つの実施方式では、ユーザ装置が同一サブフレーム内で、一つのサービングセル上でPUCCH信号を送信し、もう一つのサービングセル上でPUCCH信号も送信する必要がある時に、各セルの索引番号／類型に基づいて、パワー割り当ての優先順位を確定しても良い。
【００５６】
そのうち、一つのセルは、プライマリーサービングセルであり、他のサービングセルは、セカンダリーサービングセルであっても良い。或いは、一つのセルは、プライマリーサービングセルであり、他のセルは、従属的な地位のプライマリーサービングセル又はセカンダリーサービングセルであっても良い。或いは、一つのセルは、マクロセルであり、他のセルは、スモールであっても良い。或いは、所定ルールに基づいてセルに対して優先順位の確定を行っても良く、例えば、制御レベルの信号を搬送するセルの優先順位は、ユーザレベルの信号を搬送するセルの優先順位よりも高いなどである。
【００５７】
本実施方式では、優先順位の確定は、次のような条件のうちの一つ又は組み合わせを採用しても良く、即ち、プライマリーセルに対してのPUCCHの優先順位は、セカンダリーセルに対してのPUCCHの優先順位よりも高く；マクロセルに対してのPUCCHの優先順位は、スモールに対してのPUCCHの優先順位よりも高く；索引番号が小さいセルに対してのPUCCHの優先順位は、索引番号が大きいセルに対してのPUCCHの優先順位よりも高い。
【００５８】
なお、上述の条件は、単独で使用しても良く、又は、そのうちの幾つかを組み合せて使用しても良く、又は、全てを使用しても良く、本発明はこれに限定されない。
【００５９】
もう一つの実施方式では、ユーザ装置が同一サブフレーム内で、一つのサービングセル上でPUCCH信号を送信し、もう一つのサービングセル上でPUCCH信号も送信する必要がある時に、PUCCHが搬送するUCIの類型及び各セルの索引番号／類型に基いいて、パワー割り当ての優先順位を共同（ジョイント）で確定しても良い。
【００６０】
具体的には、先ず、PUCCHが搬送するUCIの類型に基づいて優先順位を確定しても良く、該優先順位が同じであれば、次にセルの索引番号／類型に基づいて優先順位を確定する。
【００６１】
例えば、ユーザ装置がマクロセル上で周期性CSI報告を搬送するPUCCHを送信し、スモールセル上でACK／NACKを搬送するPUCCHを送信する必要があるとき、ACK／NACKが周期CSI報告よりも高いという条件に従って、スモールセル上でのPUCCHの優先順位が最高であると確定することができる。
【００６２】
また、例えば、ユーザ装置がマクロセル上で周期性CSI報告を搬送するPUCCHを送信し、スモールセル1上でACK／NACKを搬送するPUCCHを送信し、また、スモールセル2上で周期性CSI報告を搬送するPUCCHを送信する必要があり、且つ該周期性CSI報告及びマクロセル上でのものの類型が同じであり、例えば、すべてが類型3（Type  3）であるとき、ACK／NACKが周期CSI報告よりも高いという条件に従って、スモールセル1上でのPUCCHの優先順位が最高であると確定し；また、マクロ基地局が形成するセルが、スモール基地局が形成するセルよりも優先的であるという条件に従って、マクロセル上でのPUCCHの優先順位が二番目であり、スモールセル2上でのPUCCHの優先順位が最も低いと確定することができる。
【００６３】
具体的には、さらにセルの索引番号／類型に基づいて優先順位を確定しても良く、該優先順位が同じであれば、次にPUCCHが搬送するUCIの類型に基づいて優先順位を確定しても良い。
【００６４】
例えば、ユーザ装置がマクロセル上で周期性CSI報告を搬送するPUCCHを送信し、スモールセル上でACK／NACKを搬送するPUCCHを送信する必要があるとき、マクロ基地局が形成するセルが、スモール基地局が形成するセルよりも優先的であるという条件に従って、マクロセル上でのPUCCHの優先順位が最高であると確定することができる。
【００６５】
なお、以上、少なくとも二つのセルのPUCCHに対して如何に優先順位の確定を行うかを説明したが、本発明はこれに限定されず、実際の状況に応じて、具体的な優先順位の確定方式を採用しても良い。また、上述の優先順位の確定を行った後に、複数のPUCCHが同じ優先順位を有する場合が存在する。以下、ユーザ装置の送信パワーが制限される場合、優先順位確定後のPUCCHに対して如何に送信パワーを割り当てるかについて説明する。
【００６６】
一つの実施方式では、ステップ802で、優先順位の確定結果に基づいて少なくとも二つのセルの上りチャネルに対してパワー割り当てを行い、具体的には、優先順位が高い一つ又は複数のPUCCHにパワーを割り当て、そして、残りのパワーがある場合、該残りのパワーを、優先順位が低い一つ又は複数のPUCCHに割り当てることを含む。
【００６７】
具体的には、ユーザ装置が同一サブフレーム内で、一つのサービングセル上でPUCCH信号を送信し、他のサービングセル上でPUCCH信号も送信する必要があり、且つユーザ装置の送信パワーがPCMAX
（外１）
2016530807.tif 000056
を超える可能性があると確定するとき、前記サブフレーム内でPUCCH信号に対してパワーの割り当てを行う。
【００６８】
所定の優先順位に基づいて、各セル上でのPUCCHに対してソーティングを行う。優先順位が高いPUCCHに優先的にパワーを割り当て、優先順位が比較的低い信号の送信パワーを下げ、これにより、優先順位が比較的高い信号の送信を保証することができる。以下の説明では、残りの送信パワーとは、ユーザ装置のPCMAXから、既に分配された送信パワーを引いた後に残った送信パワーを指す。
【００６９】
即ち、優先順位が最も高いPUCCHは、式（3）に従って計算することができ、優先順位が最も高いPUCCHが第j個目のキャリア／セル上で伝送されるとすると、
【数７】
2016530807.tif 000057
である。
【００７０】
優先順位が同じであるPUCCHが複数ある場合、
【数８】
2016530807.tif 000058
である。
【００７１】
そのうち、w(i)は、パワー割り当ての重みであり、優先順位が同じであるPUCCHは、w(i)が同じである。
【００７２】
優先順位が最も高いPUCCHのパワーがまだユーザ端末のPCMAX
（外２）
2016530807.tif 000059
に達していない場合、二番目に高い優先順位のPUCCHにパワーを割り当て、二番目に高い優先順位のPUCCHが第c個目のキャリア／セル上で伝送されるとすると、
【数９】
2016530807.tif 000060
である。
【００７３】
これに基づいて類推して、優先順位が最も低いPUCCH以外の他のPUCCHのパワーの和が未だユーザ装置のPCMAX
（外３）
2016530807.tif 000061
に達していない場合、優先順位が最も低いPUCCHにパワーを割り当て、優先順位が最も低いPUCCHが第d個目のキャリア／セル上で伝送されるとすると、
【数１０】
2016530807.tif 000062
である。
【００７４】
優先順位が最も低いPUCCHが複数ある場合、
【数１１】
2016530807.tif 000063
である。
【００７５】
言い換えると、上述の方式は、先ず、優先順位最高のPUCCHがフルパワーで送信する時にユーザ装置のPCMAXを超えないかどうかを判断し；超えた場合、優先順位最高の全てのPUCCHに対して均等パワー割り当てを行い、他の低い優先順位のPUCCHを送信しない。超えない場合、優先順位最高のPUCCHのフルパワー送信を保証する。残りのパワーがある場合、優先順位が二番目に高い全てのPUCCHがフルパワーで送信する時にユーザ装置のPCMAXを超えないかどうかを判断し；超えた場合、二番目に高い優先順位の全てのPUCCHに対して均等パワー割り当てを行い、他の低い優先順位のPUCCHを送信せず；超えない場合、二番目に高い優先順位のPUCCHのフルパワー送信を保証する。残りのパワーが依然としてある場合、三番目に高い優先順位のPUCCHに対してパワー割り当てを行い；これに基づて類推することができる。
【００７６】
例えば、ユーザ装置が二つのセル上でそれぞれPUCCHを送信する必要があり、そのうち、セル1上でのPUCCHの優先順位がセル2上でのPUCCHよりも高いとする場合、ユーザ装置がセル1上でPUCCHを送信するパワー
（外４）
2016530807.tif 000064
は、従来技術、例えば式（3）に従って計算することができる。セル2上でPUCCHを送信するパワー
（外５）
2016530807.tif 000065
は、式（8）に従って計算することができ、即ち、
【数１２】
2016530807.tif 000066
である。
【００７７】
ユーザ装置が三つのセル上でそれぞれPUCCHを送信する必要があり、そのうち、セル1上でのPUCCH優先順位がセル2上でのPUCCHよりも高く、セル2上でのPUCCHがセル3上でのPUCCHよりも高いとする場合、ユーザ装置がセル1でPUCCHを送信するパワー
（外６）
2016530807.tif 000067
は、従来技術、例えば式（3）に従って計算することができる。セル2上でPUCCHを送信するパワー
（外７）
2016530807.tif 000068
は、式（8）に基づいて計算することができる。セル3上で送信するPUCCHのパワー
（外８）
2016530807.tif 000069
は、式（9）に基づいて計算することができ、即ち、
【数１３】
2016530807.tif 000070
である。
【００７８】
ユーザ装置が三つのセル上でそれぞれPUCCHを送信する必要があり、そのうち、セル1上でのPUCCHの優先順位がセル2上でのPUCCHよりも高く、セル3上でのPUCCHとセル2上でのPUCCHとの優先順位が同じであるとする場合、ユーザ装置がセル1上でPUCCHを送信するパワー
（外９）
2016530807.tif 000071
は、従来技術、例えば式（3）に従って計算することができる。セル2及びセル3上でのPUCCHのパワーは、式（10）に基づいて計算することができ、即ち、
【数１４】
2016530807.tif 000072
である。
【００７９】
ユーザ装置が五つのセル上でそれぞれPUCCHを送信する必要があり、そのうち、セル1上でのPUCCHの優先順位がセル2上でのPUCCHよりも高く、セル2上でのPUCCHの優先順位がセル4上でのPUCCHよりも高く、セル3上でのPUCCHとセル2上でのPUCCHとの優先順位が同じであり、セル5上でのPUCCHとセル4上でのPUCCHとの優先順位が同じであるとする場合、ユーザ装置がセル1上でPUCCHを送信するパワー
（外１０）
2016530807.tif 000073
は、従来技術、例えば式（3）に基づいて計算することができる。セル2及びセル3、セル4及びセル5上でのPUCCHのパワーは、
【数１５】
2016530807.tif 000074
或いは、
【数１６】
2016530807.tif 000075
である。
【００８０】
もう一つの実施方式では、ステップ802で、優先順位の確定結果に基づいて少なくとも二つのセルの上りチャネルに対してパワー割り当てを行い、具体的には、優先順位の確定結果に基づいて、PUCCHの送信パワーに対して重み付け処理を行い、そして、重みに基づいて、各PUCCHに対してパワー割り当てを行うことを含む。
【００８１】
言い換えると、各種の優先順位のPUCCHの全てに対してパワー割り当てを行い、優先順位が高いPUCCHに比較的高いパワーを与え、優先順位が低いPUCCHに比較的低いパワーを与える。
【００８２】
もう一つの実施方式では、ステップ802で、優先順位の確定結果に基づいて少なくとも二つのセルの上りチャネルに対して選択を行い、具体的には、優先順位が最も高い一つPUCCHにパワーを割り当て、他のPUCCHを捨てることを含む。
【００８３】
具体的には、ユーザ装置が同一サブフレーム内で、一つのサービングセル上でPUCCH信号を送信し、他のサービングセル上でPUCCH信号も送信する必要があり、且つユーザ装置の送信パワーがPCMAX
（外１１）
2016530807.tif 000076
を超える可能性があると確定するときに、前記サブフレーム内で一つのみのPUCCHを送信し、他のPUCCH信号を捨てても良い。
【００８４】
上述の方法により、同一サブフレーム内で異なるサービングセル上でPUCCHを同時に送信する時に、複数のPUCCHに対してパワー割り当てを行い、或いは、一つのみのPUCCHを選択して送信し、ユーザ装置の送信パワーを下げることにより、同一サブフレーム内で異なるサービングセル上でPUCCHを同時に送信する時に送信パワーの総和がPCMAXよりも大きくなる可能性があるという問題を解決することができる。
【実施例２】
【００８５】
本発明の実施例は上りチャネルのパワー制御方法を提供し、それは、少なくとも二つのセルと接続を維持するユーザ装置側に用いられる。本実施例では、少なくとも二つのセルに対してのPUSCHを例として説明を行い、実施例1と同じ内容は省略される。
【００８６】
そのうち、PUSCHを搬送する二つのセルは、異なる基地局下での同じ類型／索引番号のセルであっても良く、例えば、それぞれマクロ基地局及びスモール基地局下でのプライマリーセルであっても良く、又は、それぞれマクロ基地局及びスモール基地局下での索引番号が同じのセカンダリーセルであっても良く；或いは、異なる基地局下での異なる類型／索引番号のセルであっても良く、例えば、それぞれマクロ基地局下でのプライマリーセル及びスモール基地局下でのセカンダリーセルであっても良く；或いは、同一eNB下での異なる類型／索引番号のセルであっても良い。なお、本発明はこれに限定されない。
【００８７】
本実施例では、少なくとも二つのセルの上りチャネルは、一つセルに対してのPUSCH及びもう一つのセルに対してのPUSCHを含んでも良く；また、少なくとも二つのセルの上りチャネルに対しての優先順位の確定は、具体的に、PUSCHに含まれているUCIの類型、及び／又は少なくとも二つのセルの類型又は索引番号に基づいてPUSCHの優先順位を確定することを含む。
【００８８】
ユーザ装置がPUSCH及びPUCCHの同一又は異なるキャリア上での同時送信をサポートする場合、この種の構成下でPUSCH上でUCIを搬送すれば、周期性又は非周期性CSIを含む可能性がある。ユーザ装置がPUSCH及びPUCCHの同一又は異なるキャリア上での同時送信をサポートしない場合、この種の構成下でPUSCH上でUCIを搬送すれば、ACK／NACK、周期性CSI又は非周期性CSIを含む可能性がある。
【００８９】
一つの実施方式では、ユーザ装置が同一サブフレーム内で、一つのサービングセル上でPUSCH信号を送信し、もう一つのサービングセル上でPUSCH信号も送信する必要がある時に、PUSCHが搬送するUCIの類型に基づいて、パワー割り当ての優先順位を確定することができる。
【００９０】
そのうち、PUSCHが搬送するUCIは、ACK／NACK、周期性CSI報告又は非周期性CSI報告を含んでも良い。周期性CSI報告の可能な組み合わせは実施例1に既に詳細されているので、ここでは省略される。従来標準によれば、非周期性CSI報告は、上述のように、RI、ワイドバンド又はサブバンド第一PMI／第二PMI、ワイドバンド又はサブバンドCQIを含んでも良い。
【００９１】
本実施例では、PUSCHが含むUCIの類型に基づいてPUSCHの優先順位を確定する時に、次のような条件のうちの一つ又は組み合わせを含んでも良く、即ち、
条件5：ACK／NACKを含むPUSCHの優先順位は、周期性CSIを含むPUSCHの優先順位よりも高く；
条件6：ACK／NACKを含むPUSCHの優先順位は、非周期性CSIを含むPUSCHの優先順位よりも高く；
条件7：非周期性CSIを含むPUSCHの優先順位は、周期性CSIを含むPUSCHの優先順位よりも高い。
【００９２】
また、該方法更に、異なる類型の周期性CSIを含むPUSCHに対して優先順位の確定を含んでも良く、なお、異なる類型の周期性CSIの優先順位については、実施例1を参照することができる。
【００９３】
或いは、更に、異なる類型の非周期性CSIを含むPUSCHに対して優先順位の確定を行っても良い。例えば、フィードバック類型（Feedback  Type）に基づいて優先順位を確定することができ、例えば、モード1-2、2-2などである。フィードバック類型については、次の表1を参照することができる。
【表１】
2016530807.tif 000077
【００９４】
また、周期性CSIを含むPUSCHの優先順位が同じである時に、CSI  ProcessのIDの大小に基づいて優先順位をさらに確定しても良く。或いは、非周期性CSIを含むPUSCHの優先順位が同じである時に、CSI  ProcessのIDの大小に基づいて優先順位をさらに確定しても良い。
【００９５】
なお、上述の条件は、単独で使用しても良く、又は、そのうちの幾つかを組み合わせて使用しても良く、又は、全てを使用しても良く、本発明はこれに限定されない。
【００９６】
本実施方式では、PUSCHが２種類又は２種類以上のUCIを含む時に、２種類又は２種類以上のUCIの優先順位に基づいてPUSCHの優先順位をさらに確定しても良い。
【００９７】
具体的には、一つのPUSCH中で一種類以上の類型のUCIを搬送する場合、PUSCHの優先順位を比較する時に、先ず、PUSCH中の最高優先順位のUCIに基づいて比較を行っても良く；最高優先順位のUCIの優先順位が同じであれば、次にPUSCH中の二番目に高い優先順位のUCIに基づいて比較を行っても良く；これに基づいて類推することができる。
【００９８】
例えば、セル1上でのPUSCHがACK／NACK及び周期性CSIを搬送し、セル2上でのPUSCHが非周期CSIを搬送する場合、セル1上での優先順位最高のACK／NACKの優先順位が、セル2上での非周期CSIの優先順位よりも高いので、セル1上でのPUSCHの優先順位がセル2上でのPUSCHの優先順位よりも高いと判断することができる。
【００９９】
もう一つの実施方式では、ユーザ装置が同一サブフレーム内で、一つのサービングセル上でPUSCH信号を送信し、もう一つのサービングセル上でPUSCH信号も送信する必要がある時に、少なくとも二つのセルの類型／索引番号に基づいて、パワー割り当ての優先順位を確定することができる。
【０１００】
具体的には、次のような条件のうちの一つ又は組み合わせを採用しても良く、即ち、プライマリーセルに対しての物理上り共有チャネルの優先順は、セカンダリーセルに対しての物理上り共有チャネルの優先順位よりも高く；マクロセルに対しての物理上り共有チャネルの優先順位は、スモールに対しての物理上り共有チャネルの優先順位よりも高く；索引番号が小さいセルに対しての物理上り共有チャネルの優先順位は、索引番号が大きいセルに対しての物理上り共有チャネルの優先順位よりも高い。
【０１０１】
なお、上述の条件は、単独で使用しても良く、又は、そのうちの幾つかを組みあわせて使用しても良く、又は、全てを使用しても良く、本発明はこれに限定されない。
【０１０２】
もう一つの実施方式では、ユーザ装置が同一サブフレーム内で、一つのサービングセル上でPUSCH信号を送信し、もう一つのサービングセル上でPUSCH信号も送信する必要がある時に、PUSCHが搬送するUCIの類型及び各セルの索引番号／類型に基づいてパワー割り当ての優先順位をジョイント確定することができる。
【０１０３】
また、PUSCHがUCIを搬送しない場合、UCIを搬送するPUSCHの優先順位は、UCIを搬送しないPUSCHよりも高い。なお、UCIを搬送しないPUSCHについては、従来技術を参照することができる。
【０１０４】
以上、少なくとも二つのセルのPUSCHに対して如何に優先順位の確定を行うかのみ説明したが、本発明はこれに限定されない、実際のニーズに応じて、具体的な優先順位の確定方式を採用しても良い。上述の優先順位の確定を行った後に、複数のPUSCHが同じ優先順位を有する場合も存在する。以下、ユーザ装置の送信パワーが制限される場合、優先順位確定後のPUSCHに対して如何に送信パワーを分配するかについて説明する。
【０１０５】
一つの実施方式では、優先順位の確定結果に基づいて、少なくとも二つのセルの上りチャネルに対してパワー割り当てを行い、具体的には、優先順位が高い一つ又は複数のPUSCHにパワーを割り当て、そして、残りのパワーがある場合、該残りのパワーを、優先順位が低い一つ又は複数のPUSCHに割り当てる。
【０１０６】
具体的には、ユーザ装置が同一サブフレーム内で、一つのサービングセル上でPUSCH信号を送信し、他のサービングセル上でPUSCH信号も送信する必要があり、且つユーザ装置の送信パワーがPCMAX
（外１２）
2016530807.tif 000078
を超える可能性があると確定した時に、前記サブフレーム内でPUSCH信号に対してパワー割り当てを行う。
【０１０７】
所定の優先順位に基づいて、各セル上でのPUSCHに対してソーティングを行う。優先順位が高いPUSCHに優先的にパワーを割り当て、優先順位が比較的低い信号の送信パワーを下げることで、優先順位が比較的高い信号の送信を保証することができる。以下の説明では、残りの送信パワーとは、ユーザ装置のPCMAXから、既に分配された送信パワーを引いた後に残った送信パワーを指す。
【０１０８】
例えば、ユーザ装置がPUSCH及びPUCCHの同一又は異なるキャリア上での同時送信をサポートしない場合、PUCCHを送信せず、PUSCHのみを送信する時に、優先順位最高のPUSCHは、式（2）に基づいて計算することができ、優先順位最高のPUSCHが第k個目のキャリア／セル上で伝送されるとすると、
【数１７】
2016530807.tif 000079
である。
【０１０９】
優先順位が同じのPUSCHが複数ある場合、
【数１８】
2016530807.tif 000080
である。
【０１１０】
そのうち、w(i)はパワー割り当ての重みであり、優先順位が同じのPUSCHは、w(i)が同じである。
【０１１１】
優先順位最高のPUSCHのパワーが未だユーザ装置のPCMAX
（外１３）
2016530807.tif 000081
に達してない場合、二番目に高い優先順位のPUSCHにパワーを割り当てても良く、二番目に高い優先順位のPUSCHが第c個のキャリア／セル上で伝送されるとすれば、
【数１９】
2016530807.tif 000082
である。
【０１１２】
これに基づいて類推して、優先順位最低のPUSCH以外の他のPUSCHのパワーの和が未だユーザ装置のPCMAX
（外１４）
2016530807.tif 000083
に達していない場合、優先順位最低のPUSCHにパワーを割り当てても良く、優先順位最低のPUSCHが第d個目のキャリア／セル上で伝送されるとすると、
【数２０】
2016530807.tif 000084
である。
【０１１３】
優先順位最低のPUSCHが複数ある場合、
【数２１】
2016530807.tif 000085
である。
【０１１４】
上述の方式は、先に、優先順位最高のPUSCHがフルパワーで送信する時にユーザ装置PCMAXを超えないかどうかを判断し；超えた場合、優先順位最高の全てのPUSCHに対して均等パワー割り当てを行い、他の低い優先順位のPUSCHを送信せず；超えない場合、優先順位最高のPUSCHのフルパワー送信を保証する。残りのパワーがあれば、優先順位が二番目に高い全てのPUSCHがフルパワーで送信する時にユーザ装置のPCMAXを超えないかどうかを判断し；超えた場合、優先順位が二番目に高い全てのPUSCHに対して均等パワー割り当てを行い、他の低い優先順位のPUSCHを送信せず；超えない場合、優先順位が二番目に高いPUSCHのフルパワー送信を保証する。また、残りのパワーが依然としてあれば、三番目に高い優先順位のPUSCHのためにパワー割り当てを行う。これに基づいて類推することができる。
【０１１５】
一つの実施方式では、優先順位の確定結果に基づいて少なくとも二つのセルの上りチャネルに対してパワー割り当てを行い、具体的には、優先順位の確定結果に基づいて、PUSCHの送信パワーに対して重みを付け、そして、重みに基づいて各PUSCHに対してパワー割り当てを行うことができる。
【０１１６】
具体的には、各種の優先順位のPUSCHの全てに対してパワー割り当てを行い、優先順位が高いPUSCHに比較的高いパワーを与え、優先順位が低いPUSCHに比較的低いパワーを与える。
【０１１７】
以上の方法より、同一サブフレーム内で異なるサービングセル上でPUSCHを同時に送信する必要がある時に、複数のPUSCHに対してパワー割り当てを行い、ユーザ装置の送信パワーを下げることで、同一サブフレーム内で異なるサービングセル上でPUSCHを同時に送信するに送信パワーの総和がPCMAXよりも大きくなる可能性があるという問題を解決することができる。
【実施例３】
【０１１８】
本発明の実施例は上りチャネルのパワー制御方法を提供し、それは、少なくとも二つのセルと接続を維持するユーザ装置側に用いられる。本実施例では、少なくとも二つのセルに対してのPUCCH及びPUSCHを例として説明し、実施例1又は2と同じ内容は省略される。
【０１１９】
そのうち、PUSCH及びPUCCHを搬送する二つのセルは、異なる基地局下での同じ類型／索引番号のセルであってもよく、例えば、それぞれ、マクロ基地局下でのプライマリーセルがPUCCHを搬送し、スモール基地局下でのプライマリーセルがPUSCHを搬送し、又は、マクロ基地局下でのプライマリーセルがPUSCHを搬送し、スモール基地局下でのプライマリーセルがPUCCHを搬送しても良く；或いは、異なる基地局下での異なる類型／索引番号のセルであっても良く、例えば、それぞれ、マクロ基地局下でのプライマリーセルがPUCCHを搬送し、スモール基地局下でのセカンダリーセルがPUSCHを搬送し、又は、マクロ基地局下でのセカンダリーセルがPUSCHを搬送し、スモール基地局下でのプライマリーセルがPUCCHを搬送しても良く；或いは、同一eNB下での異なる類型／索引番号のセルであっても良く。本発明はこれに限定されない。
【０１２０】
本実施例では、ユーザ装置がPUSCH及びPUCCHの同一又は異なるキャリア上での同時送信をサポート可能であり、且つ同一又は異なるキャリア上での送信を区分しないとする。即ち、「同一キャリア上でのPUSCH及びPUCCHの同時送信のみをサポートし、異なるキャリア上でのPUSCH及びPUCCHの送信をサポートしない」ことは存在せず；或いは、「異なるキャリア上でのPUSCH及びPUCCHの送信のみをサポートし、同一キャリア上でPUSCH及びPUCCHの同時送信をサポートしない」ことは存在しない。この種の構成下で、PUCCH及びPUSCHを同時に送信する場合、次のような組み合わせ（2つのセルを例とし）がある。
【０１２１】
（1）セル1に対しては、PUCCHがあるが、PUSCHがなく；セル2に対しては、PUCCHがあるが、PUSCHがない。なお、このような場合は、既に実施例1に説明されている。
【０１２２】
（2）セル1に対しては、PUCCHがあるが、PUSCHがなく；セル2に対しては、PUCCH及びPUSCHがある。なお、セル1及びセル2上で搬送されるPUCCHに対して比較を行う場合は、既に実施例1に説明されている。ここでは、セル1上でのPUCCHと、セル2上でのPUSCHとの関係のみを説明する。例えば、次のようにさらに分けることができ、即ち、セル1のPUCCHがACK／NACKを搬送し、セル2のPUSCHが周期性／非周期性CSIを搬送し；セル1のPUCCHがSRを搬送し、セル2のPUSCHが周期性／非周期性CSIを搬送し；セル1のPUCCHが周期性CSIを搬送し、セル2のPUSCHが周期性／非周期性CSIを搬送する。
【０１２３】
（3）セル1に対しては、PUCCH及びPUSCHがあり；セル2に対しては、PUCCH及びPUSCHがある。なお、セル1及びセル2上で搬送されるPUCCHに対して比較を行う場合は、既に実施例1に説明されており、また、セル1及びセル2上で搬送されるPUSCHに対して比較を行う場合は、既に実施例2に説明されている。
【０１２４】
セル1上でのPUCCH及びセル2上でのPUSCHの関係は、上述（2）中の「セル1がPUCCHを有するが、PUSCHを有せず、セル2がPUCCH及びPUSCHを有する」時のセル1上でのPUCCH及びセル2上でのPUSCHの関係と同じである。以下、この二つの場合について説明する。
【０１２５】
本実施例では、少なくとも二つのセルの上りチャネルは、一つのセルに対してのPUCCH及びもう一つのセルに対してのPUSCHを含み；また、少なくとも二つのセルの上りチャネルに対しての優先順位の確定は、具体的に、上りチャネルが含むUCIの類型、少なくとも二つのセルの類型又は索引番号、及び上りチャネルの類型のうちの一つ又は組み合わせに基づいて、上りチャネルの優先順位を確定することを含む。
【０１２６】
一つの実施方式では、ユーザ装置が同一サブフレーム内で、一つのサービングセル上でPUCCH信号を送信し、もう一つのサービングセル上でPUSCH信号を送信する必要がある時に、PUCCH又はPUSCHが搬送するUCIの類型に基づいてパワー割り当ての優先順位を確定しても良い。
【０１２７】
具体的には、優先順位の確定は、次のような条件のうちの一つ又は組み合わせを採用しても良く、即ち、ACK／NACKを含む上りチャネルの優先順位は、周期性CSIを含む上りチャネルの優先順位よりも高く；SRを含む上りチャネルの優先順位は、周期性CSIを含む上りチャネルの優先順位よりも高く；ACK／NACKを含む上りチャネルの優先順は、SRを含む上りチャネルの優先順位よりも高く；SRを含む上りチャネルの優先順位は、非周期性CSIを含む上りチャネルの優先順位よりも高く；非周期性CSIを含む上りチャネルの優先順位は、周期性CSIを含む上りチャネルの優先順位よりも高い。
【０１２８】
また、該方法は更に、異なる類型の周期性CSIを含む上りチャネルに対しての優先順位の確定を含み、なお、具体的に如何にソーティングを行うかは、実施例1を参照することができる。或いは、異なる類型の非周期性CSIを含む上りチャネルに対して優先順位の確定を行っても良く、なお、具体的に如何にソーティングを行うかは、実施例2を参照することができる。
【０１２９】
また、周期性CSIを含む上りチャネル優先順位が同じである時に、CSI  ProcessのIDの大小に基づいて優先順位をさらに確定しても良い。或いは、非周期性CSIを含む上りチャネルの優先順位が同じである時に、CSI  ProcessのIDの大小に基づいて優先順位をさらに確定しても良い。
【０１３０】
本実施方式では、上りチャネルが２種類又は２種類以上のUCIを含む時に、２種類又は２種類以上のUCIの優先順位に基づいて上りチャネルの優先順位をさらに確定しても良い。
【０１３１】
具体的には、一つのPUCCH中で一種類以上の類型の上り制御信号を搬送する場合、PUCCH／PUSCHの優先順位を比較する時に、先ず、PUCCH中の最高優先順位のUCIに基づいて比較を行っても良く、最高優先順位のUCIの優先順位が同じであれば、次に、PUCCH中の二番目に高い優先順位のUCIに基づいて比較を行っても良く；これに基づいて類推することができる。
【０１３２】
例えば、一つのセル1上でのPUCCHがACK／NACK及び周期性CSIを搬送し、もう一つのセル2上でのPUSCHが非周期CSIを搬送する場合、セル1上での優先順位最高のACK／NACKの優先順位がセル2上での非周期CSIの優先順位より高いので、セル1上でのPUCCHの優先順位がセル2上でのPUSCHの優先順位よりも高いと判断することができる。
【０１３３】
もう一つの実施方式では、ユーザ装置が同一サブフレーム内で、一つのサービングセル上でPUCCH信号を送信し、もう一つのサービングセル上でPUSCH信号を送信する必要がある時に、少なくとも二つのセルの類型又は索引番号に基づいて、パワー割り当ての優先順位を確定しても良い。
【０１３４】
具体的には、優先順位の確定は、次のような条件のうちの一つ又は組み合わせを採用しても良く、即ち、プライマリーセルに対しての上りチャネルの優先順位は、セカンダリーセルに対しての上りチャネルの優先順位よりも高く；マクロセルに対しての上りチャネルの優先順位は、スモールに対しての上りチャネルの優先順位よりも高く；索引番号が小さいセルに対しての上りチャネルの優先順位は、対索引番号が大きいセルに対しての上りチャネルの優先順位よりも高い。
【０１３５】
もう一つの実施方式では、ユーザ装置が同一サブフレーム内で、一つのサービングセル上でPUCCH信号を送信し、もう一つのサービングセル上でPUSCH信号を送信する必要がある時に、上りチャネルの類型に基づいてパワー割り当ての優先順位を確定しても良い。
【０１３６】
具体的には、PUCCHの優先順位は、PUSCHの優先順位よりも高くても良い。
【０１３７】
もう一つの実施方式では、ユーザ装置が同一サブフレーム内で、一つのサービングセル上でPUCCH信号を送信し、もう一つのサービングセル上でPUSCH信号を送信する必要がある時に、PUCCH又はPUSCHが搬送するUCIの類型及び少なくとも二つのセルの類型又は索引番号に基づいて、パワー割り当ての優先順位を共同確定しても良い。
【０１３８】
もう一つの実施方式では、ユーザ装置が同一サブフレーム内で、一つのサービングセル上でPUCCH信号を送信し、もう一つのサービングセル上でPUSCH信号を送信する必要がある時に、PUCCH又はPUSCHが搬送するUCIの類型及び上りチャネルの類型に基づいて、パワー割り当ての優先順位を共同確定しても良い。
【０１３９】
もう一つの実施方式では、ユーザ装置が同一サブフレーム内で、一つのサービングセル上でPUCCH信号を送信し、もう一つのサービングセル上でPUSCH信号を送信する必要がある時に、上りチャネルの類型及び少なくとも二つのセルの類型又は索引番号に基づいて、パワー割り当ての優先順位を共同確定しても良い。
【０１４０】
もう一つの実施方式では、ユーザ装置が同一サブフレーム内で、一つのサービングセル上でPUCCH信号を送信し、もう一つのサービングセル上でPUSCH信号を送信する必要がある時に、PUCCH又はPUSCHが搬送するUCIの類型、上りチャネルの類型及び少なくとも二つのセルの類型又は索引番号に基づいて、パワー割り当ての優先順位を共同確定しても良い。
【０１４１】
以上、少なくとも二つのセルのPUCCH／PUSCHに対して如何に優先順位の確定を行うかのみを説明したが、本発明はこれに限定されず、実際の状況に応じて、具体的な優先順位の確定方式を採用しても良い。上述の優先順位の確定を行った後に、複数のPUCCH／PUSCHが同じ優先順位を有する場合は存在する。以下、ユーザ装置の送信パワーが制限される場合、優先順位確定後のPUCCH／PUSCHに対して如何に送信パワーを分配するかを説明する。
【０１４２】
一つの実施方式では、優先順位の確定結果に基づいて、少なくとも二つのセルの上りチャネルに対してパワー割り当てを行い、具体的には、優先順位が高い一つ又は複数の上りチャネルにパワーを割り当て、そして、残りのパワーがある場合、該残りのパワーを、優先順位が比較的低い一つ又は複数の上りチャネルに割り当てる。
【０１４３】
具体的には、ユーザ装置が同一サブフレーム内で、一つ又は複数のサービングセル上でPUCCHを送信し、他の一つ又は複数のサービングセル上でPUSCHを送信する必要があり、且つ、ユーザ装置の送信パワーがPCMAX
（外１５）
2016530807.tif 000086
を超える可能性があると確定した場合、前記サブフレーム内でPUSCH信号及びPUCCH信号に対してパワー割り当てを行うことができる。
【０１４４】
所定の優先順位に基づいて、各セル上でのPUSCH／PUCCHに対してソーティングを行う。優先順位が高い上りチャネルのために優先的にパワーを割り当て、また、優先順位が比較的低い信号の送信パワーを下げることで、優先順位が比較的高い信号の送信を保証することができる。以下の説明では、残りの送信パワーとは、端末装置のPCMAXから、既に分配された送信パワーを引いた後に残った送信パワーを指す。
【０１４５】
即ち、優先順位最高のPUCCHは、式（3）に基づいて計算することができ、又は、優先順位最高のPUSCHは、式（1）に基づいて計算することができる。優先順位が同じであるPUSCH／PUCCHが複数ある場合、同じ優先順位のものは、同じパワー割り当ての重みを採用する。優先順位が二番目に高いものは、優先順位が高い上りチャネルにパワーを割り当てた後に、残りの送信パワーが依然として0よりも大きい場合、該残りの送信パワーを、優先順位が二番目に高い上りチャネルに割り当てる。
【０１４６】
例えば、先ず、優先順位最高の上りチャネルがフルパワーで送信する時にユーザ装置のPCMAXを超えないかどうかを判断し；超えた場合、優先順位最高の全ての上りチャネルに対して均等パワー割り当てを行い、他の優先順位が低い上りチャネルを送信せず；超えない場合、優先順位最高の上りチャネルのフルパワー送信を保証する。残りのパワーがあれば、優先順位が二番目に高い全ての上りチャネルがフルパワーで送信する時にユーザ装置のPCMAXを超えないかどうかを判断してもよく；超えた場合、二番目に高い優先順位の全ての上りチャネルに対して均等パワー割り当てを行い、他の低い優先順位の上りチャネルを送信せず；超えない場合、二番目に高い優先順位の上りチャネルのフルパワー送信を保証する。残りのパワーがまだあるときに、続いて三番目に高い優先順位の上りチャネルにパワーを割り当てる。これに基づいて類推することができる。
【０１４７】
もう一つの実施方式では、優先順位の確定結果に基づいて、少なくとも二つのセルの上りチャネルに対してパワー割り当てを行い、具体的には、優先順位の確定結果に基づいて、上りチャネルの送信パワーに重みを付け、そして、重みに基づいて、各上りチャネルに対してパワー割り当てを行っても良い。
【０１４８】
具体的には、各種優先順位の上りチャネルの全てに対してパワー割り当てを行っても良く、優先順位が高い上りチャネルに比較的に高いパワーを与え、優先順位が低い上りチャネルに比較的に低いパワーを与える。
【０１４９】
上述の方法により、同一サブフレーム内で異なるサービングセル上でPUSCH及びPUCCHを同時に送信する必要がある時に、複数のPUSCH／PUCCHに対してパワー割り当てを行い、端末装置の送信パワーを下げることで、同一サブフレーム内で異なるサービングセル上でPUSCH及びPUCCHを同時に送信する時に送信パワーの総和がPCMAXよりも大きくなる可能性があるという問題を解決することができる。
【実施例４】
【０１５０】
実施例1、2、3をもとに、本発明の実施例は、上りチャネルのパワー制御方法について更に説明する。本実施例では、実施例1、2、3をジョイントして用いても良い。そのうちの二つの実施例の実施方式を行っても良く、又は、全ての三つの実施例の実施方式を行っても良い。
【０１５１】
例えば、実施例1及び実施例3を組み合わせても良い。セル1上でPUCCH1及びUCI有りのPUSCH（PUSCH1  with  UCI）を送信し、セル2上でPUCCH2を送信する場合、それぞれ、PUCCH1及びPUCCH2の比較、及び、PUCCH2及びPUSCH1の比較を行う必要がある。仮に、PUCCH1がACK／NACKを搬送し、PUSCH1が非周期CSIを搬送し、PUCCH2が周期CSIを搬送するとすれば、実施例1及び実施例3の方式に従って、優先的にPUCCH1にパワーを割り当てても良く、残りのパワーがあれば、PUSCH1に割り当ても良く；また、残りのパワーがさらにあれば、PUCCH2に割り当てても良い。
【０１５２】
また、例えば、実施例1、実施例2及び実施例3を組み合わせても良い。セル1上でPUCCH1及びPUSCH1  with  UCIを送信し、セル2上でPUCCH2及びPUSCH2  with  UCIを送信する場合、それぞれ、PUCCH1及びPUCCH2の比較、PUCCH1及びPUSCH2の比較、PUCCH2及びPUSCH1の比較、PUSCH1及びPUSCH2の比較を行う必要がある。仮に、PUCCH1がACK／NACKを搬送し、PUSCH1が非周期CSIを搬送し、PUCCH2がACK／NACKを搬送し、PUSCH2が周期CSIを搬送するとすれば、実施例1、実施例2及び実施例3の方式に基づいて、PUCCH1及びPUCCH2は同じく最高優先順位（セル類型でなく、UCI類型のみに基づいてソーティングを行う）を有し、その次はPUSCH1であり、最も低いのはPUSCH2である。この場合、優先的にPUCCH1及びPUCCH2にパワー（全ては下がることがない）を割り当てても良く；残りのパワーがあれば、PUSCH1に分配されても良く；残りのパワーがさらにあれば、PUSCH2に割り当てられてもよい。
【０１５３】
また、例えば、実施例1及び実施例2中の案のみが有効であり、実施例3中の案を考慮しないとする。即ち、PUSCH及びPUCCHの比較時に、従来技術のみに従って、PUCCHの優先順位が、UCIを搬送するPUSCHの優先順位よりも高く、UCIを搬送するPUSCHの優先順位が、UCIを搬送しないPUSCHの優先順位よりも高いとする。この場合、セル1上でPUCCH1（ACK／NACKを含む）及びPUSCH1  with  UCI（非周期性CSIを含む）を送信し、セル2上でPUCCH2（周期性CSIを含む）を送信すれば、PUCCH1の優先順位は最も高く、その次はPUCCH2であり、PUSCH1の優先順位が最も低い。
【０１５４】
また、ユーザ装置が異なるキャリア上でPUCCH及びPUSCHを同時に送信することができ、同一キャリア上でPUCCH及びPUSCHを同時に送信することができない場合、異なるキャリア上でのPUSCH及びPUCCHの優先順位は、UCIの類型に基づいてソーティングすることができ、又は、セル／キャリア順番号に基づいてソーティングすることができ、又は、上りチャネル類型に基づいてソーティングすることができる。そのうち、異なる類型の上りチャネルのソーティングは、
・ACK／NACKを含む上りチャネル＞SRを含む上りチャネル＞CSIを含む上りチャネル
・非周期CSIを含む上りチャネル＞周期性CSIを含む上りチャネル
・周期性CSIの異なる類型の報告を含む上りチャネルについては、ソーティングしても良く、ソーティングしなくても良い
とのようにすることができる。
【０１５５】
なお、具体的なパワー割り当て方法は、実施例1〜3と同じであるため、ここでは詳しい説明を省略する。
【０１５６】
上述の方法により、同一サブフレーム内で異なるサービングセル上でPUSCH／PUCCHを同時に送信する必要がある時に、複数のPUSCH／PUCCHに対してパワー割り当てを行い、端末装置の送信パワーを下げることで、同一サブフレーム内で異なるサービングセル上でPUSCH／PUCCHを同時に送信する時に送信パワーの総和がPCMAXよりも大きくなる可能性があるという問題を解決することができる。
【実施例５】
【０１５７】
本発明の実施例はユーザ装置を提供し、それは、少なくとも二つのセルと接続を維持する。本発明の実施例は実施例1〜実施例4に記載の上りチャネルのパワー制御方法に対応し、実施例1〜4と同じ内容は省略される。
【０１５８】
図9は、本発明の実施例によるユーザ装置の構成図であり、図9に示すように、ユーザ装置900は、優先順位確定ユニット901及びパワー制御ユニット902を含む。なお、ユーザ装置900の他の構成については、図面に示されておらず、従来技術を参照することができる。
【０１５９】
そのうち、優先順位確定ユニット901は、同一サブフレーム内で少なくとも二つのセルに対して上り制御情報を含む上りリンク信号を送信する時に、少なくとも二つのセルの上りチャネルに対して優先順位を確定し；パワー制御ユニット902は、優先順位の確定結果に基づいて、少なくとも二つのセルの上りチャネルに対して、パワー割り当てを行い、又は、上りチャネル選択を行う。
【０１６０】
具体的な実施に当たって、ユーザ装置900は更に、受信した下り信号に基づいてACK／NACKフィードバックを生成することができ；或いは、周期性CSIによる周期及びオフセット、受信した非周期CSIトリガー指示、又は、上りサービスに必要なリソース要求に基づいて、対応する上り制御情報を生成することもできる。
【０１６１】
ユーザ装置900は更に、上りチャネルに対してのパワー割り当ての結果、又は、上りチャネルに対して選択の結果に基づいて、上りリンク信号を送信することができる。なお、UCIの生成及び上りチャネルの送信などの具体的な内容については、従来技術を参照することができる。
【０１６２】
一つの実施方式では、少なくとも二つのセルの上りチャネルは、一つのセルに対してのPUCCH及びもう一つのセルに対してのPUCCHを含み；優先順位確定ユニット901は、具体的に、PUCCHに含まれているUCIの類型、及び／又は、少なくとも二つのセルの類型又は索引番号に基づいて、PUCCHの優先順位を確定することができる。
【０１６３】
パワー制御ユニット902は、具体的に、優先順位が高い一つ又は複数のPUCCHにパワーを割り当て、そして、残りのパワーがある場合、該残りのパワーを、優先順位が比較的低い一つ又は複数のPUCCHに割り当て；或いは、優先順位の結果に基づいて、PUCCHの送信パワーに重みを付け、そして、重みに基づいて各PUCCHに対してパワー割り当てを行い；或いは、優先順位が最も高い一つのPUCCHにパワーを割り当て、他のPUCCHを捨てるように構成されても良い。
【０１６４】
もう一つの実施方式では、少なくとも二つのセルの上りチャネルは、一つのセルに対してのPUCCH及びもう一つのセルに対してのPUSCHを含み；優先順位確定ユニット901は、具体的に、上りチャネルが含むUCIの類型、少なくとも二つのセルの類型又は索引番号、及び上りチャネルの類型のうちの一つ又は組み合わせに基づいて、上りチャネルの優先順位を確定することができる。
【０１６５】
パワー制御ユニット902は、具体的に、優先順位が高い一つ又は複数の上りチャネルにパワーを分配し、そして、残りのパワーがある場合、該残りのパワーを、優先順位が比較的低い一つ又は複数の上りチャネルに割り当て；或いは、優先順位の確定結果に基づいて、上りチャネルの送信パワーに重みを付け、そして、該重みに基づいて各上りチャネルに対してパワー割り当てを行うように構成されても良い。
【０１６６】
もう一つの実施方式では、少なくとも二つのセルの上りチャネルは、一つのセルに対してのPUSCH及びもう一つのセルに対してのPUSCHを含み；優先順位確定ユニット901は、具体的に、PUSCHが含むUCIの類型、及び／又は、少なくとも二つのセルの類型又は索引番号に基づいて、PUSCHの優先順位を確定することができる。
【０１６７】
パワー制御ユニット902は、具体的に、優先順位が高い一つ又は複数のPUSCHにパワーを割り当て、また、残りのパワーがある場合、該残りのパワーを、優先順位が比較的低い一つ又は複数のPUSCHに割り当て；或いは、優先順位の確定結果に基づいて、PUSCHの送信パワーに重みを付け、そして、該重みに基づいて各PUSCHに対してパワー割り当てを行うように構成される。
【０１６８】
本発明の実施例は更に通信システムを提供し、図10は、本発明の実施例による通信システムの構成図である。図10に示すように、通信システム1000は、第一基地局1002、第二基地局1003及びユーザ装置1001を含む。第一基地局1002又は第二基地局1003はマクロ基地局であっても良く、スモール基地局などであっても良く、本発明はこれに限定されない。
【０１６９】
そのうち、ユーザ装置1001は、第一基地局1002及び第二基地局1003が形成した少なくとも二つのセルと接続を維持し；同一サブフレーム内で少なくとも二つのセルに対してUCI有りの上りリンク信号を送信する時に、少なくとも二つのセルの上りチャネルに対して優先順位の確定を行い；及び、優先順位の確定結果に基づいて、少なくとも二つのセルの上りチャネルに対して、パワー割り当てを行い、又は、上りチャネル選択を行う。
【０１７０】
本発明の実施例は更にコンピュータ可読プログラムを提供し、そのうち、ユーザ装置中で前記プログラムを実行する時に、前記プログラムは、コンピュータに、前記ユーザ装置中で上記実施例1〜4に記載の上りチャネルのパワー制御方法を実行させる。
【０１７１】
本発明の実施例は更に、コンピュータ可読プログラムを記憶した記憶媒体を提供し、そのうち、前記コンピュータ可読プログラムは、コンピュータに、基地局中で上述の実施例1〜4に記載の上りチャネルのパワー制御方法を実行させる。
【０１７２】
本発明の以上の装置及び方法は、ハードウェアにより実現されても良く、ハードウェアとソフトウェアとの組み合わせにより実現されても良い。本発明は更に下記のようなコンピュータ読み取り可能なプログラムに関し、即ち、該プログラムは、ロジック部品により実行される時に、該ロジック部品に、上述の装置又は構成部品を実現させ、又は、該ロジック部品に、上述の各種の方法又はステップを実現させる。本発明は更に、上述のプログラムを記憶した記憶媒体、例えば、ハードディスク、磁気ディスク、光ハードディスク、DVD、flashメモリなどにも関する。
【０１７３】
また、図面に記載の機能ブロックのうちの一つ又は複数及び／又はその機能ブロックの一つ又は複数の組み合わせは、本発明に記載の前記機能を実行するための汎用処理装置、デジタル信号処理装置（DSP）、専用集積バックホール（ASIC）、FPGA（field-programmable  gate  array）又は他のプログラマブル論理素子、論理ゲート又はトランジスタ論理素子、ハードウェアアセンブリ又は他の任意の適切な組み合わせとして実現されても良い。また、図面に記載の機能ブロックのうちの一つ又は複数及び／又はその機能ブロックの一つ又は複数の組み合わせは、計算装置の組み合わせ、例えば、DSPとマイクロプロセッサーとの組み合わせ、複数のマイクロプロセッサー、DSPと通信可能に接続される一つ又は複数のマイクロプロセッサー又は任意の他の構成として実現されても良い。
【０１７４】
以上、本発明の好ましい実施形態を説明したが、本発明はこのような実施形態に限定されず、本発明の趣旨を離脱しない限り、本発明に対するあらゆる変更は本発明の技術的範囲に属する。
【手続補正２】
【補正対象書類名】特許請求の範囲
【補正対象項目名】全文
【補正方法】変更
【補正の内容】
【特許請求の範囲】
【請求項１】
少なくとも二つのセルとの接続を維持するユーザ装置に用いられる上りチャネルのパワー制御方法であって、
前記ユーザ装置が、同一サブフレーム内で、前記少なくとも二つのセルに対して上り制御情報を含む上りリンク信号をそれぞれ送信する時に、前記少なくとも二つのセルの前記上りチャネルに対して優先順位の確定を行い；及び
前記優先順位の確定結果に基づいて、前記少なくとも二つのセルの前記上りチャネルに対して、パワー割り当てを行い、又は、上りチャネル選択を行うことを含む、方法。
【請求項２】
請求項1に記載の方法であって、
前記少なくとも二つのセルの前記上りチャネルは、
一つのセルの物理上り制御チャネル及びもう一つのセルに対しての物理上り制御チャネル；
一つのセルに対しての物理上り制御チャネル及びもう一つのセルに対しての物理上り共有チャネル；又は
一つのセルに対しての物理上り共有チャネル及びもう一つのセルに対しての物理上り共有チャネルを含む、方法。
【請求項３】
請求項1に記載の方法であって、
前記少なくとも二つのセルの前記上りチャネルに対して優先順位の確定を行うことは、前記上りチャネルに含まれている上り制御情報の類型、前記少なくとも二つのセルの類型又は索引番号、及び前記上りチャネルの類型のうちの一つ又は組み合わせに基づいて、前記上りチャネルの優先順位を確定することを含む、方法。
【請求項４】
請求項3に記載の方法であって、
前記上りチャネルに含まれている上り制御情報の類型に基づいて前記上りチャネルの優先順位を確定することは、
ACK／NACKを含む上りチャネルの優先順位が、周期性チャネル状態情報を含む上りチャネルの優先順位よりも高く；
スケジュール要求を含む上りチャネルの優先順位が、周期性チャネル状態情報を含む上りチャネルの優先順位よりも高く；
ACK／NACKを含む上りチャネルの優先順位が、スケジュール要求を含む上りチャネルの優先順位よりも高く；
スケジュール要求を含む上りチャネルの優先順が、非周期性チャネル状態情報を含む上りチャネルの優先順位よりも高く；及び
非周期性チャネル状態情報を含む上りチャネルの優先順位が、周期性チャネル状態情報を含む上りチャネルの優先順位よりも高い
という条件のうちの一つ又は組み合わせを採用する、方法。
【請求項５】
請求項4に記載の方法であって、更に、
異なる類型の周期性チャネル状態情報を含む上りチャネルに対して優先順位の確定を行い、又は、異なる類型の非周期性チャネル状態情報を含む上りチャネルに対して優先順位の確定を行うことを含む、方法。
【請求項６】
請求項5に記載の方法であって、更に、
周期性チャネル状態情報又は非周期性チャネル状態情報を含む上りチャネルの優先順位が同じである時に、チャネル状態情報プロセスの識別子のサイズに基づいて優先順位をさらに確定することを含む、方法。
【請求項７】
請求項1に記載の方法であって、
前記上りチャネルが２種類以上の上り制御情報を含む時に、前記方法は、更に、
前記２種類以上の上り制御情報の優先順位に基づいて、前記上りチャネルの優先順位を確定することを含む、方法。
【請求項８】
請求項3に記載の方法であって、
前記少なくとも二つのセルの類型又は索引番号に基づいて前記上りチャネルの優先順位を確定することは、
プライマリーセルに対しての上りチャネルの優先順位が、セカンダリーセルに対しての上りチャネルの優先順位よりも高く；
マクロセルに対しての上りチャネルの優先順位が、スモールセルに対しての上りチャネルの優先順位よりも高く；及び
索引番号が小さいセルに対しての上りチャネルの優先順位が、索引番号が大きいセルに対しての上りチャネルの優先順位よりも高い
という条件のうちの一つ又は組み合わせを採用する、方法。
【請求項９】
請求項3に記載の方法であって、
前記上りチャネルの類型に基づいて前記上りチャネルの優先順位を確定することは、物理上り制御チャネルの優先順位が、物理上り共有チャネルの優先順位よりも高いことを含む、方法。
【請求項１０】
請求項1に記載の方法であって、
前記優先順位の確定結果に基づいて前記少なくとも二つのセルの前記上りチャネルに対してパワー割り当てを行うことは、
優先順位が高い一つ又は複数の上りチャネルにパワーを割り当て、残りのパワーがある場合、該残りのパワーを、優先順位が低い一つ又は複数の上りチャネルに割り当て；又は
前記優先順位の確定結果に基づいて、前記上りチャネルの送信パワーに重みを付け、該重みに基づいて各上りチャネルに対してパワー割り当てを行うことを含む、方法。
【請求項１１】
請求項1に記載の方法であって、
前記優先順位の確定結果に基づいて、前記少なくとも二つのセルの前記上りチャネルに対して上りチャネル選択を行うことは、
優先順位が最も高い一つの物理上り制御チャネルにパワーを割り当て、他の物理上り制御チャネルを捨てることを含む、方法。
【請求項１２】
少なくとも二つのセルとの接続を維持するユーザ装置であって、
同一サブフレーム内で前記少なくとも二つのセルに対して上り制御情報を含む上りリンク信号をそれぞれ送信する時に、前記少なくとも二つのセルの前記上りチャネルに対して優先順位の確定を行うための優先順位確定ユニット；及び
前記優先順位の確定結果に基づいて、前記少なくとも二つのセルの前記上りチャネルに対して、パワー割り当てを行い、又は、上りチャネル選択を行うためのパワー制御ユニットを含む、ユーザ装置。
【請求項１３】
請求項12に記載のユーザ装置であって、
前記少なくとも二つのセルの前記上りチャネルは、一つのセルに対しての物理上り制御チャネル及びもう一つのセルに対しての物理上り制御チャネルを含み、
前記優先順位確定ユニットは、前記物理上り制御チャネルに含まれている上り制御情報の類型、及び／又は、前記少なくとも二つのセルの類型又は索引番号に基づいて、前記物理上り制御チャネルの優先順位を確定するように構成される、ユーザ装置。
【請求項１４】
請求項13に記載のユーザ装置であって、
前記パワー制御ユニットは、
優先順位が高い一つ又は複数の物理上り制御チャネルにパワーを割り当て、残りのパワーがある場合、該残りのパワーを、優先順位が低い一つ又は複数の物理上り制御チャネルに割り当て；
前記優先順位の確定結果に基づいて前記物理上り制御チャネルの送信パワーに重みを付け、該重みに基づいて各物理上り制御チャネルに対してパワー割り当てを行い；又は
優先順位が最も高い一つの物理上り制御チャネルにパワーを割り当て、他の物理上り制御チャネルを捨てるように構成される、ユーザ装置。
【請求項１５】
請求項12に記載のユーザ装置であって、
前記少なくとも二つのセルの前記上りチャネルは、一つのセルに対しての物理上り制御チャネル及びもう一つのセルに対しての物理上り共有チャネルを含み、
前記優先順位確定ユニットは、前記上りチャネルに含まれている上り制御情報の類型、前記少なくとも二つのセルの類型又は索引番号、及び前記上りチャネルの類型のうちの一つ又は組み合わせに基づいて、前記上りチャネルの優先順位を確定するように構成される、ユーザ装置。
【請求項１６】
請求項15に記載のユーザ装置であって、
前記パワー制御ユニットは、
優先順位が高い一つ又は複数の上りチャネルにパワーを割り当て、残りのパワーがある場合、該残りのパワーを、優先順位が低い一つ又は複数の上りチャネルに割り当て；又は
前記優先順位の確定結果に基づいて前記上りチャネルの送信パワーに重みを付け、該重みに基づいて各上りチャネルに対してパワー割り当てを行うように構成される、ユーザ装置。
【請求項１７】
請求項12に記載のユーザ装置であって、
前記少なくとも二つのセルの前記上りチャネルは、一つのセルに対しての物理上り共有チャネル及びもう一つのセルに対しての物理上り共有チャネルを含み、
前記優先順位確定ユニットは、前記物理上り共有チャネルに含まれている上り制御情報の類型、及び／又は、前記少なくとも二つのセルの類型又は索引番号に基づいて、前記物理上り共有チャネルの優先順位を確定するように構成される、ユーザ装置。
【請求項１８】
請求項17に記載のユーザ装置であって、
前記パワー制御ユニットは、
優先順位が高い一つ又は複数の物理上り共有チャネルにパワーを割り当て、残りのパワーがある場合、該残りのパワーを、優先順位が低い一つ又は複数の物理上り共有チャネルに割り当て；又は
前記優先順位の確定結果に基づいて前記物理上り共有チャネルの送信パワーに重みを付け、該重みに基づいて各物理上り共有チャネルに対してパワー割り当てを行うように構成される、ユーザ装置。
【請求項１９】
請求項12に記載のユーザ装置を含む通信システム。

【手続補正３】
【補正対象書類名】図面
【補正対象項目名】図１
【補正方法】変更
【補正の内容】
【図１】
2016530807.tif 000087
【手続補正４】
【補正対象書類名】図面
【補正対象項目名】図２
【補正方法】変更
【補正の内容】
【図２】
2016530807.tif 000088
【手続補正５】
【補正対象書類名】図面
【補正対象項目名】図３
【補正方法】変更
【補正の内容】
【図３】
2016530807.tif 000089
【手続補正６】
【補正対象書類名】図面
【補正対象項目名】図４
【補正方法】変更
【補正の内容】
【図４】
2016530807.tif 000090
【手続補正７】
【補正対象書類名】図面
【補正対象項目名】図１０
【補正方法】変更
【補正の内容】
【図１０】
2016530807.tif 000091
【国際調査報告】
2016530807.tif 000092
2016530807.tif 000093
2016530807.tif 000094
2016530807.tif 000095